(57)【要約】      （修正有）【課題】中継装置が多段接続されたネットワーク形態であっても、ターゲットセルを特定することができる無線通信システムおよび中継装置を提供する。【解決手段】通信ネットワークに第１中継装置１が接続され、第１中継装置１の配下に少なくとも第２中継装置２が接続され、第２中継装置２の配下に１または複数の第一の通信装置４〜６が接続された無線通信システムであって、第２中継装置２は、第一の通信装置４〜６に関する情報に変更があったときまたは第一の通信装置４〜６を登録するときに、第一の通信装置４〜６のセル情報を含む第一のメッセージを第１中継装置１に送信する。セル情報には、第一の通信装置４〜６を識別する論理セル識別情報と、物理セル識別情報と、が含まれる。【選択図】図３
2019126089.tif 000002
【特許請求の範囲】
【請求項１】
通信ネットワークに第一の中継装置が接続され、前記第一の中継装置の配下に少なくとも第二の中継装置が接続され、前記第二の中継装置の配下に１または複数の第一の通信装置が接続された無線通信システムであって、
前記第二の中継装置は、前記第一の通信装置に関する情報に変更があったとき、または前記第一の通信装置を登録するときに、前記第一の通信装置のセル情報を含む第一のメッセージを前記第一の中継装置に送信し、
前記セル情報には、前記第一の通信装置を識別する論理セル識別情報と物理セル識別情報とが含まれる、無線通信システム。
【請求項２】
前記論理セル識別情報は前記第一の通信装置のCell Identityであり、前記物理セル識別情報は前記第一の通信装置のPSC(Primary Scrambling Code)である、請求項１に記載の無線通信システム。
【請求項３】
前記第一のメッセージは、基地局に関する更新メッセージである、請求項１または２に記載の無線通信システム。
【請求項４】
前記第一のメッセージはHNB(Home Node B) Configuration UpdateメッセージまたはHNB Register Requestメッセージのいずれかである、請求項１乃至３のいずれか１項に記載の無線通信システム。
【請求項５】
通信ネットワークと、配下に１または複数の第一の通信装置が接続された第二の中継装置と、が接続された第一の中継装置であって、
前記第一の通信装置に関する情報に変更があったとき、または前記第一の通信装置が登録されるときに、前記第一の通信装置のセル情報を含む第一のメッセージを、前記第二の中継装置から受信する手段を有し、
前記セル情報には、前記第一の通信装置を識別する論理セル識別情報と物理セル識別情報とが含まれる、第一の中継装置。
【請求項６】
前記論理セル識別情報は前記第一の通信装置のCell Identityであり、前記物理セル識別情報は前記第一の通信装置のPSC(Primary Scrambling Code)である、請求項５に記載の第一の中継装置。
【請求項７】
前記第一のメッセージは、通信装置に関する更新メッセージである、請求項５または６に記載の第一の中継装置。
【請求項８】
前記第一のメッセージはHNB(Home Node B) Configuration UpdateメッセージまたはHNB Register Requestメッセージのいずれかである、請求項５乃至７のいずれか１項に記載の第一の中継装置。
【請求項９】
通信ネットワークに接続された第一の中継装置が接続され、配下に１または複数の第一の通信装置が接続された第二の中継装置であって、
前記第一の通信装置に関する情報に変更があったとき、または前記第一の通信装置が登録されるときに、前記第一の通信装置のセル情報を含む第一のメッセージを、前記第一の中継装置に送信する手段を有し、
前記セル情報には、前記第一の通信装置を識別する論理セル識別情報と物理セル識別情報とが含まれる、第二の中継装置。
【請求項１０】
前記第一のメッセージはHNB(Home Node B) Configuration UpdateメッセージまたはHNB Register Requestメッセージのいずれかである、請求項９に記載の第二の中継装置。
【発明の詳細な説明】
【技術分野】
【０００１】
本発明は無線通信システムおよび無線通信システムにおける中継装置に関する。
【背景技術】
【０００２】
3GPP(3rd Generation Partnership Project)では、オフィス内あるいはユーザ宅内に設置可能な小型基地局としてHNB(Home Node B)を定義し、HNBを通してユーザ端末(UE: User Equipment)の事業者ネットワークへのアクセスを可能にしている。１つのHNBがカバーする無線エリアはオフィス内あるいはユーザ宅内等の狭い範囲であるから、スモールセル、マイクロセル、フェムトセル、ピコセルなどとも呼ばれる。以下、便宜上、これらのセルを含むものとして「フェムトセル」を用いるものとする。このようなフェムトセルは、一般に、広いエリアをカバーするマクロセル(Macrocell)内に多数設定されている。
【０００３】
3GPPではセルの物理セル識別情報としてPSC(Primary Scrambling Code)が定義され、各セルがそれぞれ異なるPSCを使用することでセルの識別が可能であり、PSCからセルの論理セル識別情報(Cell Identity)に結びつけている。しかしながら、物理セル識別情報の個数には限りがある。たとえば、UMTS (Universal Mobile Telecommunications System)ではPSCは最大５１２個、LTE(Long Term Evolution) Systemでは、PCI(Physical Cell Identity)は最大５０４個である。このために、マクロセル内に多数設定されるフェムトセルに対してはPSCが重複利用されており、PSCからCell Identityを一意に結びつけることはできない。このことがPSCの多義性の原因となっている。具体的には、3GPP Release 9より前のレガシーUE、すなわち無線接続中のセル以外のセルのシステム情報（System Information）を取得する機能（SI Acquisition機能）をサポートしていないUEの場合、ハンドオーバ元であるマクロネットワークのRNC(Radio Network Controller)は、当該UEにより報告されたPSCに対応するターゲットセルをユニークに決定することができない。このようなPSCの多義性(= PSC Confusion)を解決する方法(Disambiguation)が非特許文献１および２に開示されている。
【０００４】
以下、図１に示すシステムを一例として、RNCとHNBGW(HNB Gateway)におけるPSC 多義性解決方法について説明する。
【０００５】
Ａ）RNCにおけるPSC多義性解決
非特許文献１の補足資料C.2項（75〜76ページ）によれば、まず、第１ステップとして、フェムトセルのHNBに接続しているUEがフェムトセルからマクロセルへハンドオーバ（ハンドアウト）するプロセスにおいて、RNCが必要な情報をデータベースに記憶しておく。続いて、第２ステップとして、UEがハンドインするときにデータベースの情報を利用することでターゲットセル（フェムトセル）の特定を行う。
【０００６】
具体的には、第１ステップにおいて、フェムトセルに位置するUEはHNBに測定報告（Measurement Report）を送信し、それを受けてHNBはハンドオーバ要求メッセージをHNBGWを経由してRNCへ送信する。RNCはハンドオーバ要求メッセージの情報をデータベースに記憶し学習する。このデータベース情報には、フェムトセルの論理セル識別情報（Cell Identity）とそのPSC、RNC配下のマクロセルのCell IdentityとそのPSC、およびUEにより測定されたフェムトセルとマクロセルの基準時刻の時間差（Delta Observed Time Difference：Delta_OTD）が含まれる。
【０００７】
続いて、第２ステップにおいて、マクロセルに位置するUEからMeasurement Reportを受けとると、RNCはデータベース情報からハンドオーバターゲットとなるフェムトセルのCell Identityを取得し、HNBGWを経由して当該フェムトセルのHNBへハンドオーバ要求メッセージを送信する。このハンドオーバ要求メッセージには、フェムトセルのCell Identityが設定されているが、このCell Identityは、第１ステップのハンドアウトにおけるハンドオーバ要求メッセージのUE History Informationに設定されたCell Identityである。
【０００８】
Ｂ）HNBGWにおけるPSC多義性解決
非特許文献１の補足資料C.3項（76〜77ページ）によれば、基本的にはC.2章のRNCで解決する方法と同様であるが、データベースの保存場所がHNBGWである点が異なる。
【０００９】
まず、第１ステップにおいて、上述したようにHNBからハンドオーバ要求メッセージが送信されるが、HNBGWはハンドオーバ要求メッセージを受信すると、そのメッセージからデータベース情報を構築し、ハンドオーバ要求メッセージをRNCへ転送する。データベース情報には、フェムトセルの論理セル識別情報（Cell Identity）とそのPSC、RNC配下のマクロセルのCell IdentityとそのPSC、およびフェムトセルとその隣接マクロセルに関するdelta_OTD情報が含まれる。delta_OTDは、UEにより測定されたマクロセルとフェムトセルの基準時刻の時間差を表す。
【００１０】
続いて、第２ステップにおいて、UEはRNCにMeasurement Reportを送信し、RNCはHNBGWへMeasurement Reportを含むハンドオーバ要求メッセージを送信する。HNBGWは、ハンドオーバ要求メッセージのUE History Informationに設定されたCell IdentityとMeasurement Reportと構築したデータベース情報とからハンドオーバターゲットのフェムトセルを選択し、当該フェムトセルのHNBへハンドオーバ要求メッセージを送信する。
【先行技術文献】
【非特許文献】
【００１１】
【非特許文献１】3GPP TS 25.467 V11.1.0 (2012-12) UTRAN Architecture for 3G Home Node B (HNB) Stage 2 (Release 11) 該当箇所：Annex C
【非特許文献２】3GPP TR 37.803 V11.1.0 (2012-12) Universal Mobile telecommunications System (UMTS) and LTE; Mobility enhancements for Home Node B (HNB) and Home enhanced Node B (HeNB) (Release 11) 該当箇所： 6.1.3章 Legacy UE Mobility
【発明の概要】
【発明が解決しようとする課題】
【００１２】
しかしながら、上述したPSC多義性解決方法ＡおよびＢは、図１に示すようにHNBGWに登録されたHNBが１セルから構成される場合に適用可能である。図２に示すように、HNBGWaにHNBGWbが登録され、さらにHNBGWbの配下に複数のHNBb1, HNBb2が接続されているような構成では、次に述べるようにハンドオーバターゲットセルを特定できない場合が生じうる。
【００１３】
図２に示すシステムに対してRNCにおけるPSC多義性解決方法Ａを適用すると、RNCがデータベースを構築する第１ステップでは、ハンドアウト時のハンドオーバ要求メッセージのUE History Informationに設定されたCell Identityには、HNBGWbのCell IdentityもしくはHNBb2のCell Identityが設定される。
【００１４】
Ａ．１）UE History InformationにHNBGWbのCell Identityが設定されている場合、HNBGWaはHNBGWbのCell Identityを特定できるが、HNBGWbは配下のどのHNBがハンドオーバターゲットセルかを識別できない。
Ａ．２）UE History InformationにHNBb2のCell Identityが設定されている場合、HNBGWaが知っているのはHNBGWbのCell Identityだけであり、その配下にあるHNBのCell Identityを知らないので、HNBGWaはHNBb2のCell Identityをみても、どのHNBまたはHNBGWｂにハンドオーバ要求メッセージを送信すればよいか分からない。
【００１５】
このように、ハンドアウトによって構築したRNCのデータベース情報では、図２に示すHNBGWb配下のフェムトセルへのハンドインを実現することができない。
【００１６】
図２に示すシステムに対してHNBGWにおけるPSC多義性解決方法Ｂを適用すると、データベースを構築する第１ステップでは、ハンドアウト時のハンドオーバ要求メッセージのUE History Informationに設定されたCell Identity にはHNBGWbのCell IdentityもしくはHNBb2のCell Identityが設定される。
【００１７】
Ｂ．１）UE History InformationにHNBGWbのCell Identityが設定されている場合、HNBGWaはHNBGWb配下のどのHNBからのハンドアウトであるのかが分からないのでHNBb2のセルのPSCを知ることができず、UEから送信されたMeasured ResultからHNBb2のセルのOTDを特定する事ができない。このためにHNBb2のフェムトセルとRNC配下のマクロセルとに関するdelta_OTDを算出する事ができない。
Ｂ．２）UE History InformationにHNBb2のCell Identityが設定されている場合、HNBGWaはHNBb2のCell Identityしか情報がなくHNBb2のPSCが分からない。そのため、Measured ResultからHNBb2のセルのOTDを特定する事ができない。その結果、HNBb2のフェムトセルとRNC配下のマクロセルとに関するdelta_OTDを算出する事ができない。
【００１８】
このために、HNBGWaは、第２ステップにおいて受信するハンドオーバ要求メッセージから、データベース情報を参照してもHNBGWbおよびHNBb2を特定可能な情報を取得することができない。すなわち、ハンドアウトによって構築したHNBGWaのデータベース情報では、図２に示すHNBGWb配下のフェムトセルへのハンドインを実現することができない。
【００１９】
上述したように、非特許文献１および２に記載されたようなPSC多義性解決方法は、図１に示すようなHNBGWに接続される基地局が一つのセルを持つという構成においてのみ実用化可能であり、図２に示すようなHNBGW-HNBの多段構成を有するネットワーク形態では、ハンドインフェーズでのターゲットセルを特定できない場合がある。
【００２０】
そこで、本発明の目的は、中継装置が多段接続されたネットワーク形態であっても、ターゲットセルを特定することができる無線通信システムおよび中継装置を提供することにある。
【課題を解決するための手段】
【００２１】
本発明による無線通信システムは、通信ネットワークに第一の中継装置が接続され、前記第一の中継装置の配下に少なくとも第二の中継装置が接続され、前記第二の中継装置の配下に１または複数の第一の通信装置が接続された無線通信システムであって、前記第二の中継装置は、前記第一の通信装置に関する情報に変更があったとき、または前記第一の通信装置を登録するときに、前記第一の通信装置のセル情報を含む第一のメッセージを前記第一の中継装置に送信し、前記セル情報には、前記第一の通信装置を識別する論理セル識別情報と物理セル識別情報とが含まれる。
本発明による第一の中継装置は、通信ネットワークと、配下に１または複数の第一の通信装置が接続された第二の中継装置と、が接続された第一の中継装置であって、前記第一の通信装置に関する情報に変更があったとき、または前記第一の通信装置が登録されるときに、前記第一の通信装置のセル情報を含む第一のメッセージを、前記第二の中継装置から受信する手段を有し、前記セル情報には、前記第一の通信装置を識別する論理セル識別情報と物理セル識別情報とが含まれる。
本発明による第二の中継装置は、通信ネットワークに接続された第一の中継装置が接続され、配下に１または複数の第一の通信装置が接続された第二の中継装置であって、前記第一の通信装置に関する情報に変更があったとき、または前記第一の通信装置が登録されるときに、前記第一の通信装置のセル情報を含む第一のメッセージを、前記第一の中継装置に送信する手段を有し、前記セル情報には、前記第一の通信装置を識別する論理セル識別情報と物理セル識別情報とが含まれる。
【発明の効果】
【００２２】
本発明によれば、第一の基地局のセル情報を用いることで、中継装置が多段接続されたネットワーク形態でターゲットセルの特定が可能となる。
【図面の簡単な説明】
【００２３】
【図１】図１は背景技術を説明するためのシステムアーキテクチャを示す構成図である。
【図２】図２は背景技術の課題を説明するためのシステムアーキテクチャを示す構成図である。
【図３】図３は本発明の一実施形態による無線通信システムのアーキテクチャの一例を示す構成図である。
【図４】図４は本実施形態における第１中継装置の概略的構成を示すブロック図である。
【図５】図５は本実施形態における第２中継装置の概略的構成を示すブロック図である。
【図６】図６は本実施形態による無線通信システムのハンドオーバ制御動作を示すシーケンス図である。
【図７】図７は本実施形態におけるデータベースの格納情報の一例を示す模式図である。
【図８】図８は本発明の実施例を説明するための無線通信システムのアーキテクチャの一例を示す構成図である。
【図９】図９は本発明の第１実施例によるハンドオーバターゲットセル選択方法を示すシーケンス図である。
【図１０】図１０は第１実施例におけるHNB登録要求メッセージのフォーマットを説明するための模式図である。
【図１１】図１１は第１実施例におけるHNB構成更新メッセージのフォーマットを説明するための模式図である。
【図１２】図１２は第１実施例におけるセル情報の登録動作を示すフローチャートである。
【図１３】図１３は第１実施例におけるハンドインフェーズのシーケンスを示す模式的なシステム構成図である。
【図１４】図１４は第１実施例におけるデータベースを用いた検索およびセル特性動作を示すフローチャートである。
【図１５】図１５は図１４におけるフィルタリング動作を示すフローチャートである。
【図１６】図１６は第１実施例におけるハンドアウト動作を示すフローチャートである。
【図１７】図１７は本発明の第２実施例によるハンドオーバターゲットセル選択方法におけるハンドアウトフェーズを示すシーケンス図である。
【図１８】図１８は第２実施例におけるハンドアウトフェーズのシーケンスを示す模式的なシステム構成図である。
【図１９】図１９は第２実施例におけるセル情報の登録動作を示すフローチャートである。
【図２０】図２０は第２実施例におけるハンドアウト時のセル情報登録動作を示すフローチャートである。
【発明を実施するための形態】
【００２４】
本発明の実施形態を適用するネットワークは、ネットワーク接続された基地局制御装置がその配下に複数の第１基地局を接続し、同じネットワークに接続された第１中継装置がその配下に基地局と第２中継装置とを接続し、さらに第２中継装置がその配下に複数の第２基地局を接続しているものとする。このような多段構成のネットワークにおいて、無線局が基地局制御装置の配下の第１基地局から第２中継装置配下の第２基地局へのハンドインは次のように実行される。まず、第１中継装置は第２中継装置配下にある第２基地局のセル情報を取得する。そして、無線局が第２基地局のセルにハンドインするハンドオーバ要求を受信したときに、第１中継装置は、登録したセル情報を用いることで、ターゲットセル側の第２中継装置の配下に接続されたターゲットセルである第２基地局を特定することができる。以下、本発明の一実施形態および実施例について詳細に説明する。
【００２５】
１．一実施形態
１．１）システム構成
図３は本発明の一実施形態による無線通信システムが適用される多段ネットワーク形態の一例を示すものである。ただし、説明の複雑化を回避するために、１つの中継装置（第１中継装置１）の配下に１つの基地局１０と１つの中継装置（第２中継装置２）とが接続されているものとする。これに限定されることなく、第１中継装置１の配下に複数の基地局および複数の中継装置が接続されていてもよいし、第１中継装置１の配下にはひとつも基地局が設置されない形態でもよい。
【００２６】
図３において、基地局１０はセル１１を制御し、第２中継装置２は、その配下に複数の基地局（ここでは３つの基地局４−６）を接続し、基地局４−６がセル７−９をそれぞれ制御する。
【００２７】
第１中継装置１は基地局制御装置１４およびコアネットワーク１５に接続され、基地局制御装置１４に接続した基地局１２がセル１３を制御するものとする。セル１３は広い範囲をカバーするセルであり、セル７−９およびセル１１がセル１３に隣接しているものとする。たとえば、セル１３がマクロセル、セル７−９およびセル１１がマクロセル１３に隣接するフェムトセルである。また、無線局１６はセル間を移動可能な移動局、ユーザ端末、携帯端末などである。
【００２８】
なお、図３において、第２中継装置２の配下にあるセル７−９は、基地局制御装置１４からみて、第２中継装置２が構築した一つの仮想セル３として取り扱われる。仮想セルとは、基地局制御装置１４あるいは第１中継装置１からみた一つの管理単位としてのセルであって、基地局制御装置１４が管理するセル内で複数の基地局あるいは第一中継装置１または第２中継装置２が制御する複数のセルが仮想的に一つのセルとしてみなされたものをいう。したがって、基地局制御装置１４からみた場合、仮想セル３だけでなく、セル７−９にセル１１を加えてひとまとめにしたものも１つの仮想セルとして取り扱うことができる。
【００２９】
本実施形態によれば、第２中継装置２の配下のセル７−９に関するセル情報が何らかの方法で第１中継装置１のデータベースに登録される。セル１３の基地局１２に無線接続中の無線局１６がセル１３からセル９へハンドインする場合、第１中継装置１は、基地局制御装置１４から当該ハンドオーバ要求を受信すると、データベースに登録されたセル情報を参照することで、当該ハンドオーバのターゲットセルが第２中継装置２配下のセル９であると知ることができ、第２中継装置２を通して基地局６へハンドオーバ要求を送信することができる。
【００３０】
１．２）中継装置の構成
図４に示すように、第１中継装置１は、通信部１０１と、下位装置通信部１０２と、プロトコルメッセージ構築部１０３、データベース１０４および制御部１０５を有する。
【００３１】
第１中継装置１は、通信部１０１によって基地局制御装置１４およびコアネットワーク１５とメッセージを交換し、下位装置通信部１０２によって配下の基地局および第２中継装置とメッセージを交換することができる。
【００３２】
プロトコルメッセージ構築部１０３は、基地局制御装置１４、コアネットワーク１５、配下の基地局１０および第２中継装置２との間で交換するプロトコルメッセージの構築および解析を行う。プロトコルメッセージの具体例については、後述する実施例において説明する。
【００３３】
データベース１０４は次の情報：１）セル識別情報（Cell Identity）から当該セルのPSCと当該セルを構築する基地局あるいは第２中継装置２のアドレスとを対応づける登録テーブル；２）基地局あるいは第２中継装置２の近隣のセル情報；３）セル１３から仮想セル（Cell Identity）にマッピングされる仮想セル識別情報（Cell Identity）；および４）delta_OTDテーブル、を格納し管理する。このうち、情報３）において、セル１３から仮想セル（Cell Identity）へのマッピング情報は、第１中継装置１のＯ＆Ｍのシステムパラメータとしてオペレータにより手動で与えられる。また、仮想セル識別情報（Cell Identity）は、基地局制御装置１４がUEから受信したMeasurement ReportにおけるハンドオーバターゲットセルのPSCが第１中継装置１の配下の基地局、第２中継装置あるいは第２中継装置の配下の基地局の何れかのセルを示す場合に、基地局制御装置１４のハンドオーバテーブルにおけるハンドオーバ先（Target Cell Identity）として設定されるCell Identityである。後述するように、基地局登録において、第１中継装置１が下位装置通信部１０２を通して配下の基地局あるいは第２中継装置２から基地局登録要求メッセージを受信すると、当該メッセージに含まれる情報がデータベース１０４に記録される。なお、データベース１０４の詳細については後述する（図７参照）。
【００３４】
制御部１０５は第１中継装置１の動作を制御し、後述するように、データベース情報の構築、プロトコル処理、ハンドオーバ要求メッセージのルーティング等の動作を実行する。なお、プロトコルメッセージ構築部１０３および制御部１０５と同等の機能は、図示しないメモリに格納されたプログラムをコンピュータ（プロセッサ）上で実行することにより実現することもできる。
【００３５】
図５に示すように、第２中継装置２は、上位装置通信部２０１と、基地局通信部２０２と、プロトコルメッセージ構築部２０３、配下基地局情報格納部２０４および制御部２０５を有し、上位中継装置、配下の基地局およびUEとの間でプロトコルメッセージのやりとりを行う。
【００３６】
第２中継装置２は、上位装置通信部２０１によって第１中継装置１とメッセージを交換し、基地局通信部２０２によって配下の基地局からの測定報告の受信やプロトコルメッセージの送信を行う。
【００３７】
プロトコルメッセージ構築部２０３は、第１中継装置１および配下の基地局との間で交換するプロトコルメッセージの構築および解析を行う。プロトコルメッセージの具体例については、後述する実施例において説明する。
【００３８】
配下基地局情報格納部２０４は、当該第２中継装置２の配下にある基地局４−６の基地局情報（セル情報）を格納する。セル情報は、セル識別情報、PSC、アドレスおよび隣接セル情報などが含まれる。
【００３９】
制御部２０５は第２中継装置２の動作を制御し、後述するように、セル情報の通知処理、ハンドオーバ要求メッセージのルーティング等の動作を実行する。なお、プロトコルメッセージ構築部２０３および制御部２０５と同等の機能は、図示しないメモリに格納されたプログラムをコンピュータ（プロセッサ）上で実行することにより実現することもできる。
【００４０】
１．３）ハンドオーバ制御
図６に示すように、本実施形態によるハンドオーバ制御は、セル情報の登録／更新動作と端末からの測定報告を受けた後のハンドオーバターゲットセルの選択動作とに分けられる。
【００４１】
＜セル情報の登録／更新＞
図６において、第２中継装置２の制御部２０５は、配下基地局情報格納部２０４から配下の基地局４−６（セル７−９）のセル情報を読み出し、プロトコルメッセージ構築部２０３においてセル情報の通知メッセージを構築し、上位装置通信部２０１を通して第１中継装置１へ送信する（動作Ｓ２０）。セル情報の通知はどのような方法でもよいが、後述するように、登録要求／更新メッセージを利用する方法やハンドアウトフェーズのプロトコルメッセージを利用する方法などがある。
【００４２】
第１中継装置１の制御部１０５は、下位装置通信部１０２を通してセル情報通知メッセージを受信すると、当該受信メッセージからセル情報を取り出し、データベース１０４に配下の基地局および第２中継装置２の配下セルに関する情報を所定のテーブル形式で登録する（動作Ｓ２１）。制御部１０５は、第２中継装置２からセル情報の通知があるごとに、データベース１０４の登録情報を更新することができる。
【００４３】
＜ハンドオーバターゲットセルの選択＞
図６において、基地局制御装置１４は、セル１３に位置するUEから測定報告（Measurement Report）を受信すると（動作Ｓ２２）、当該測定報告からターゲットセル識別情報および送信先を特定し、ハンドオーバのソースセルであるセル１３に関する情報と測定報告情報とを含むハンドオーバ要求メッセージを第１中継装置１へ送信する（動作Ｓ２３）。
【００４４】
第１中継装置１がハンドオーバ要求メッセージを通信部１０１により受信すると、制御部１０５はハンドオーバ要求メッセージに含まれるターゲットセル識別情報やソースセル識別情報等のセル情報を用いてデータベース１０４を検索し、ハンドオーバ要求メッセージを転送すべき第２中継装置２ならびにターゲットセル９を特定する（動作Ｓ２４）。
【００４５】
こうしてターゲットセル９までの経路が特定されると、制御部１０５は下位装置通信部１０２を通してハンドオーバ要求メッセージをターゲットセル９の基地局６へ送信し（動作Ｓ２５）、ソースセル１３からターゲットセル９へのハンドイン処理が実行される（動作Ｓ２６）。
【００４６】
１．４）データベース情報
図７に示すように、第１中継装置１に設けられたデータベース１０４には、一例として、基地局登録テーブル、仮想セルＩＤテーブルおよびセル情報・時間差テーブルが格納されている。
【００４７】
基地局登録テーブルは、第１中継装置１の配下にある基地局あるいは中継装置から受信した登録要求／更新メッセージあるいはハンドオーバ要求メッセージに基づいて、そのセル識別情報、PSCおよびアドレスを登録することで構築されたテーブルである。図３に示す本実施形態のネットワークでは、たとえば基地局１０に関して、そのセル１１のCell Identity、PSCおよび基地局１０のアドレスが１つのレコードとして登録される。また、第２中継装置２に関して、仮想セルのCell Identity、PSCおよび第２中継装置２のアドレスは登録されない。また、第２中継装置２の配下の基地局４−６のそれぞれについて、各セル７−９のCell Identity、PSCおよび第２中継装置２のアドレスが登録される。
【００４８】
仮想セルＩＤテーブルは、第１中継装置１の配下にある基地局あるいは中継装置から受信した登録要求／更新メッセージあるいはハンドオーバ要求メッセージに基づいて、第１中継装置１または第２中継装置２の配下にある基地局の隣接マクロセルと、前記マクロセルからみた第１中継装置１または第２中継装置２の配下にある基地局の複数のセルに対応する仮想セルと、のマッピングを登録することで構築されたテーブルである。１つのマクロセルから複数の仮想セルにマッピングされてもよいし、複数のマクロセルが１つの同じ仮想セルにマッピングされてもよい。図３に示す本実施形態のネットワークではマクロセル１３内に１つの仮想セル３が存在するので、マクロセル１３のmCell_IDから仮想セル３のvCell_IDにマッピングされる。
【００４９】
セル情報・時間差テーブルは、第１中継装置１の配下にある基地局あるいは中継装置から受信した登録要求／更新メッセージあるいはハンドオーバ要求メッセージと上記基地局登録テーブルおよび仮想セルＩＤテーブルとを用いて、各フェムトセルに関して、当該フェムトセルおよびマクロセルの情報（識別情報、PSC）と、マクロセルとのdelta_OTD（マクロ−フェムトセル間の基準時刻の時間差）と、他のセルとのdelta_OTDのリスト（付加情報）と、から構成される。なお、delta_OTDの具体的な算出方法については実施例において説明する。
【００５０】
１．５）効果
上述したように、本実施形態によれば、第２中継装置２の配下のセル７−９に関するセル識別情報、PSC情報およびアドレス情報を含むセル情報、あるいはこれらに加えてOTD情報、隣接セルとの関係を示す情報等をも含むセル情報が、上位の第１中継装置１のデータベースに登録される。セル１３の基地局１２に無線接続中の無線局１６がセル１３からセル９へハンドインする場合、第１中継装置１は、基地局制御装置１４から当該ハンドオーバ要求を受信すると、データベースに登録されたセル情報を参照することで、PSCが重複使用されていても、当該ハンドオーバのターゲットセルが第２中継装置２配下のセル９であると知ることができ、第２中継装置２を通して基地局６へハンドオーバ要求を送信することができる。
【００５１】
２．無線通信システム
以下、一例として、図８に示す無線通信システムを用いて本発明の各実施例について詳細に説明する。図８に示す無線通信システムは図３に示すシステムに対応したネットワーク形態を有するものとし、対応する装置には同一の参照番号を付して各装置の詳細な説明は省略する。
【００５２】
図８と図３との構成要素の対応は以下の通りである。図８におけるＧＷ（ゲートウェイ）１およびＧＷ２が図３における第１中継装置１および第２中継装置２に、ＨＮＢ(Home NodeB)４−６および１０が基地局４−６および１０に、基地局１２がＮｏｄｅＢ１２に、基地局制御装置１４がＲＮＣ(Radio Network Controller)１４に、ＵＥ１６が無線局１６に、それぞれ対応する。また、マクロセル１３がセル１３に、セル７−９および１１がフェムトセル７−９および１１にそれぞれ対応する。既に述べたように、ＧＷ１の配下には複数のＨＮＢ、複数のＧＷを接続することができ、図８は図面の煩雑さを回避するためにそれぞれ１つのＨＮＢおよびＧＷを図示しているに過ぎない。ＨＮＢが接続されず一つ以上のＧＷのみを接続する事も可能である。
【００５３】
図８において、無線基地局システムは、一般に広い範囲をカバーする公衆無線基地局であるＮｏｄｅＢ１２と複数のＮｏｄｅＢを制御するＲＮＣ１４とから構成される。ＮｏｄｅＢ１２は通信エリアとしてマクロセル１３を構築する。ＮｏｄｅＢ１２を制御するＲＮＣ１４は、ＭＳＣ(Mobile Switching Center)やＳＧＳＮ(Serving GPRS Support Node)などを含むコアネットワーク１５に接続し、後述するようにＧＷ１に接続可能である。
【００５４】
ＨＮＢ４−６および１０は、ひとつのノードでは一般に狭い範囲をカバーする小型無線基地局である。ＨＮＢの設置場所は、一般家庭のみならず、マンション、商業ビル、ショッピングモール、繁華街の街灯等であり、一つもしくは複数のＨＮＢによって広い通信エリアを構築することができる。
【００５５】
ＧＷ２は、複数のＨＮＢを直接接続する事を可能とするゲートウェイ装置であり、複数のＨＮＢ４−６からなるＨＮＢシステムとＧＷ１との間を中継する。ＧＷ２は、ＧＷ１にとって、ＨＮＢ１０と同様の１つのＨＮＢとして機能する。言い換えれば、ＧＷ２の配下にはＨＮＢ４−６がそれぞれ構築するセル７−９が存在するにも拘わらず、ＧＷ２に割り当てられるセル識別情報（Cell Identity）は仮想的に一つのセル（仮想セル３）とみなされる。
【００５６】
ＵＥ１６は、近隣のセルから参照信号（パイロット信号）を受信しながらセル間ハンドオーバを実行することができ、以下、マクロセル１３とフェムトセル９との間のハンドオーバ動作について詳細に説明する。なお、ハンドアウトフェーズではフェムトセル９がソースセル、マクロセル１３がターゲットセルであり、ハンドインフェーズではマクロセル１３がソースセル、フェムトセル９がターゲットセルである。
【００５７】
ＧＷ１は、ＨＮＢにひとつずつ割り当てられたＨＮＢ識別情報（ＩＤ）、セル識別情報（Cell Identity）およびＰＳＣ情報を保持する。ＨＮＢ１０は唯一のセル１１を構築し、セル１１には隣り合うセルとは異なるＰＳＣ値が設定されている。同様に、ＧＷ１はＧＷ２にひとつずつ割り当てられたＨＮＢ識別情報、セル識別情報Cell Identity、ＰＳＣ情報を保持する。ただし、ＧＷ２に割り当てられるＰＳＣは、配下のＨＮＢ４−６のセル７−９のＰＳＣ値と同じである必要はなく、またＧＷ２はＰＳＣ情報を保持しなくともよい。
【００５８】
また、ＨＮＢやＧＷ２の登録時に、ＨＮＢ識別情報やセル識別情報が配下装置から受信するメッセージに含まれていて、ＧＷ１はＨＮＢ識別情報やセル識別情報から配下装置がＨＮＢかＧＷかを判別することも可能である。
【００５９】
ＧＷ２は複数のＨＮＢ（４，５，６）と接続可能であり、これら配下のＨＮＢにそれぞれひとつずつ割り当てられたセル識別情報およびＰＳＣ情報を保持する。ＰＳＣは同じ値が利用されてもよいがＵＥ１６がセルを識別するために、隣り合うセルは一般的に異なるＰＳＣ値に設定される。ＧＷ２はセル７、８、９をまとめて一つの仮想セル３であるかのように取り扱うことができ、ＧＷ１へ登録する際に、ＧＷ２の登録メッセージ（3GPP TS 25.469 V11.1.0 (2012-12) UTRAN Iuh interface Home Node B (HNB) Application Part (HNBAP) signalling (Release 11)参照）において仮想セル３の識別情報を設定する。ただし、ＰＳＣは常に設定されなくともよいオプションパラメータであるので、ＧＷ２は仮想セル３のＰＳＣ情報をＧＷ２の登録メッセージに設定しなくともよい。
【００６０】
また、ＲＮＣ１４は一つのＮｏｄｅＢ１２だけでなく複数のＮｏｄｅＢと接続することができ、ＮｏｄｅＢ１２が構築するセル１３は、セル７、８、９、１１に比べ大きく、一部もしくはその全てを包含することも可能である。また、ＲＮＣ１４はコアネットワーク１５を介してＧＷ１と接続しているが、これに限定されるものではなく、ＲＮＣ１４とＧＷ１とが直接接続されていてもよい。
【００６１】
３．第１実施例
本発明の第１実施例によれば、ＧＷ１のデータベース情報は、ＧＷ２から受信するＨＮＢ登録要求／更新メッセージに含まれるセル情報を用いて構築される。
【００６２】
＜セル情報の登録／更新＞
図９において、ＧＷ２の制御部２０５は、配下基地局情報格納部２０４から配下のＨＮＢ４−６（セル７−９）のセル識別情報、PSCおよび隣接セルに関する情報（PSCおよびdelta_OTD等）を含むセル情報を読み出し、プロトコルメッセージ構築部２０３によりＨＮＢ登録メッセージ(HNB REGISTER REQUEST)を構築し、上位装置通信部２０１を通してＧＷ１へ送信する（動作Ｓ３０）。ＨＮＢ登録メッセージについては後述する（図１０参照）。
【００６３】
ＧＷ１の制御部１０５は、下位装置通信部１０２を通してＨＮＢ登録メッセージを受信すると、当該ＨＮＢ登録メッセージからセル情報を取り出し、データベース１０４に配下のＨＮＢおよびＧＷ２の配下セルに関する情報を所定のテーブル形式で登録する（動作Ｓ３１）。ＧＷ２の制御部２０５は、配下のＨＮＢシステムの構成（ＨＮＢの増設、減設）の変更、Cell Identity、PSC、近隣マクロセルおよび近隣マクロセルとのDelta_OTD情報の変更があると、配下基地局情報格納部２０４の情報を更新し（動作Ｓ３２）、プロトコルメッセージ構築部２０３が更新されたセル情報を用いてＨＮＢ更新メッセージ(HNB CONFIGURATION UPDATE)を構築し、上位装置通信部２０１を通してＧＷ１へ送信する（動作Ｓ３３）。ＧＷ１の制御部１０５は、ＧＷ２からＨＮＢ更新メッセージを受信するごとに、データベース１０４の登録情報を更新する（動作Ｓ３４）。ＨＮＢ更新メッセージについては後述する（図１１参照）。
【００６４】
＜ハンドオーバターゲットセルの選択＞
続いて、ＲＮＣ１４は、セル１３に位置するＵＥ１６から測定報告（Measurement Report）を受信すると（動作Ｓ３５）、当該測定報告からターゲットセル識別情報および送信先を特定し、ソースセルであるマクロセル１３に関する情報と測定報告情報とを含むハンドオーバ要求メッセージをＧＷ１へ送信する（動作Ｓ３６）。
【００６５】
ＧＷ１がハンドオーバ要求メッセージを通信部１０１により受信すると、制御部１０５はハンドオーバ要求メッセージに含まれるターゲットセル識別情報、ソースセル識別情報等のセル情報を用いてデータベース１０４を検索し、ハンドオーバ要求メッセージを転送すべきＧＷ２ならびにフェムトセル９を特定する（動作Ｓ３７）。
【００６６】
こうしてターゲットセル９までの経路が特定されると、制御部１０５は下位装置通信部１０２を通してハンドオーバ要求メッセージをターゲットセルであるフェムトセル９のＨＮＢ６へ送信し（動作Ｓ３８）、マクロセル１３からフェムトセル９へのハンドイン処理が実行される（動作Ｓ３９）。
【００６７】
３．１）ＨＮＢ登録要求／更新メッセージ
ＧＷ２からＧＷ１へセル情報を送信するメッセージとしてＨＮＢ登録メッセージを用いると、ＨＮＢのセル識別情報（Cell Identity）とPSCの組合せを一つないし複数設定することが可能である。さらに、各ＨＮＢと一つないし複数の近隣セルとのdelta_OTD情報を含める事も可能である。
【００６８】
図１０に示すように、ＨＮＢ登録メッセージのLocal Cell Informationに、ＧＷ２の配下にある複数のセルに関する情報が格納される。すなわち、Local Cell Informationに各配下セルのセル識別情報Cell-IDおよびPSCが、さらにNeighbour Informationに各配下セルの隣接セル情報(PSCおよびdelta_OTD)がそれぞれ含まれる。本実施例では、Local Cell Informationに複数のフェムトセル７−９のセル識別情報Cell-IDおよびPSCと、Neighbour Informationに隣接するマクロセル１３のPSCおよびdelta_OTDとが格納される。さらに、Neighbour Informationにおける配下セルの隣接セル情報にCell IDが含まれてもよく、その場合には上述したデータベース検索（図９の動作Ｓ３７）の精度が高くなる。また、上述した動作Ｓ３１／Ｓ３４におけるセル情報・時間差テーブルの登録において、マクロセルＩＤを取得することも可能となる。
【００６９】
ＧＷ２は、配下のＨＮＢとマクロセル１３とのdelta_OTDを配下のＨＮＢの近隣セル測定等で知ることができる。その際、初回ないし前回に通知したdelta_OTDから所定の閾値以上ずれた場合に、更新情報として送付してもよい。なお、電波伝搬距離や長時間運用によるCellの基準信号のドリフトによって数チップずれる可能性を考慮し、同じか否かの判定のためのdelta OTDの値に幅を持たせることができる。例えば、delta_OTDのための幅が1000、delta_OTD値が10000の場合、delta_OTDの値が9000から11000までは同じdelta_OTDの情報を持つセルと判定する。この場合、比較のための所定の閾値は、delta_OTDの幅と同等ないしそれ以下の幅を持つことが望ましい。
【００７０】
また、delta OTDが同一と判定される幅を設けているため、セル内でハンドオーバする場所が異なることによる伝搬距離差に起因してOTDにズレが生じ、その結果、delta_OTD情報にもズレが生じたとしても、同一セルと判定する事ができ、ターゲットセルを特定する確率を高めることができる。また、セルの長時間運用によってセルの基準信号の送信タイミングに対して多少ズレたとしても同様の効果が得られる。
【００７１】
ＧＷ２からＧＷ１へセル情報を送信するメッセージとして、ＨＮＢ登録メッセージ以外のメッセージを用いることもできる。たとえば、図１１に示すように、ＨＮＢ更新メッセージのSector Informationに、ＧＷ２の配下の全てのＨＮＢのSector Listと、ＧＷ２に追加接続されるSector List、変更されるSector Listおよび削除されるSector Listとを載せて送信することも可能である。Sector Informationには、登録メッセージの場合と同様に、セル識別情報Cell-IDおよびPSCと、Neighbour Informationに隣接するマクロセル１３のPSCおよびdelta_OTDとが格納される。
【００７２】
以下、ＨＮＢ登録メッセージ(HNB REGISTER REQUEST)を用いたセル情報の登録動作について説明する。
【００７３】
３．２）セル情報の登録フェーズ
図１２において、まず、ＧＷ２がHNB REGISTER REQUESTメッセージをＧＷ１へ送信したとする。HNB REGISTER REQUESTメッセージには、図１０に例示するように、主に以下の情報が含まれる：
- HNB ID
- Cell Identity
- PSC
- HNBまたはGW2配下のHNBの近隣のMacrocell情報。
その他の情報は本実施例には直接関係しないので省略する。
【００７４】
ＧＷ１の下位装置通信部１０２がHNB REGISTER REQUESTメッセージを受信すると（動作Ｓ３０１）、制御部１０５は通常のＨＮＢ登録手順を実施する（動作Ｓ３０２）。
【００７５】
続いて、プロトコルメッセージ構築部１０３は、登録されたノードが単一セルのみを有するＨＮＢであるか複数のセルを有するＧＷ２であるかを判定する（動作Ｓ３０３）。この識別判定は、HNB REGISTER REQUESTメッセージのパラメータ、例えば当該受信メッセージの送信元のIP Addressやポート番号を用いることができる。これ以外でも、たとえばHNB IDに含まれる文字列情報、セル識別情報（Cell Identity）あるいはPSC情報からも見分けることができる。
【００７６】
登録されたノードが単一のフェムトセルを有するＨＮＢであれば（動作Ｓ３０３；ＮＯ）、制御部１０５は、ＨＮＢのCell Identity、PSCおよびAddressの組合せをデータベース１０４の基地局登録テーブルに登録する（動作Ｓ３０４）。
【００７７】
登録されたノードが複数のフェムトセルを有することを可能とするＧＷ２であれば（動作Ｓ３０３；ＹＥＳ）、プロトコルメッセージ構築部１０３は、受信したHNB REGISTER REQUESTメッセージにLocal Cell Informationが含まれているか否かを判定する（動作Ｓ３０５）。Local Cell Informationが含まれていれば（動作Ｓ３０５；ＹＥＳ）、制御部１０５は、ＨＮＢのCell Identity、PSCおよびＧＷ２のAddressの組合せをデータベース１０４の基地局登録テーブルに登録する（動作Ｓ３０６）。なお、各ＨＮＢと少なくとも１つの近隣セルとのdelta_OTD情報が含まれていれば、当該delta_OTD情報をセル情報・時間差テーブルに登録してもよい。Local Cell Informationが含まれていない場合（動作Ｓ３０５；ＮＯ）あるいは上記動作Ｓ３０４が完了した場合には、動作Ｓ３０６は実行されない。
【００７８】
続いて、制御部１０５は、受信したHNB REGISTER REQUESTメッセージにＨＮＢ／ＧＷに隣接するマクロセルが設定されているか否かを判定する（動作Ｓ３０７）。マクロセルが設定されている場合には（動作Ｓ３０７；ＹＥＳ）、制御部１０５は、ＨＮＢ／ＧＷの情報に加えて、その近隣のマクロセル情報をデータベースに保存する（動作Ｓ３０８）。このようにして、図７に例示するようなテーブル情報をデータベース１０４に登録することができる。
【００７９】
３．３）ハンドインフェーズ
次に、図１３〜図１５を参照しながら、ＵＥ１６がマクロセル１３からフェムトセル９へハンドオーバするハンドインフェーズの動作を説明する。なお、図１３に示す動作Ｓ３５〜Ｓ３８は、図９に示す動作Ｓ３５〜Ｓ３８にそれぞれ対応している。
【００８０】
図１３において、ＵＥ１６はマクロセル１３内でＮｏｄｅＢ１２と無線接続しながら、フェムトセル９のパイロット信号からＰＳＣCell9を、マクロセル１３のパイロット信号からＰＳＣCell13を、それぞれ受信する。このとき、フェムトセル９のパイロット受信電力の方がマクロセル１３のそれよりも大きいなどの測定結果に基づき、ＵＥ１６はＲＮＣ１４へMeasurement Report（測定報告）メッセージを送信する（動作Ｓ３５）。
【００８１】
Measurement Reportには、Event Result（イベント結果）とMeasured Result（測定結果）とが含まれ、Event Resultにはフェムトセル９のＰＳＣCell9が設定され、Measured Resultには、フェムトセル９に関する情報（ＰＳＣCell9、ＵＥ１６とフェムトセル９との基準時刻の時間差ＯＴＤcell9）と、マクロセル１３に関する情報（ＰＳＣCell13、ＵＥ１６とマクロセル１３との基準時刻の時間差ＯＴＤcell13）と、が設定される。ここで扱われる時間差ＯＴＤとは、フェムトセル９とマクロセル１３のプライマリＣＣＰＣＨ(Common Control Physical Channel)という物理チャネルのＳＦＮ（System Frame Number）と、ＵＥ１６のRLC Transparent ModeのCOUNT-CとのFrame OffsetとChip Offsetである。3GPP TS25.331 V11.4.0 (2013-1) Radio Resource Control (RRC); Protocol specification (Release 11)では、当該ＯＴＤはCOUNT-C-SFN high, OFFおよびTmの３つのパラメータで表現される。
【００８２】
Measurement Reportメッセージを受信すると、ＲＮＣ１４は、内部に設けられたハンドオーバルーティングテーブルを用いて、Event ResultのＰＳＣCell9から、ターゲットセルがＧＷ１の配下のセル（ここでは仮想セル３に含まれるいずれかのセル）であると判断し、コアネットワーク１５へRANAP：Relocation Required（ハンドオーバ要求）メッセージを送信する（動作Ｓ３６）。このRelocation Requiredメッセージには、
１）Target ID（ターゲット識別情報）
２）Target Cell Identity（ターゲットセル識別情報）
３）UE History Information（端末履歴情報）
４）Source RNC to Target RNC Transparent Container（ソース−ターゲットＲＮＣ間トランスペアレントコンテナ）
が設定される。ここでは、Target IDにはＧＷ１の識別情報が、Target Cell IdentityにはＧＷ１の配下のセル識別情報（仮想セルＩＤ）がそれぞれ設定される。さらに、UE History Informationには、IE Cell IdentityとしてＵＥ１６が在圏したセルのCell Identityと、IE UE Stayed in Cellとして当該セルにＵＥ１６が滞在した時間とのセットが、ＵＥ１６が過去に在圏したセルごとに、設定される。また、Source RNC to Target RNC Transparent ContainerにはＵＥ１６から受信したMeasurement Reportが設定される。
【００８３】
ＧＷ１は、コアネットワーク１５からRANAP：Relocation Request（ハンドオーバ要求）メッセージを受信する（動作Ｓ３６）。RANAP：Relocation Requestメッセージには、
１）Target Cell Identity
２）UE History Information
３）Source RNC to Target RNC Transparent Container
が設定される。ここでは、Target Cell Identity にＧＷ１配下のセル（仮想セル）を示す Cell Identityが設定され、Source RNC to Target RNC Transparent ContainerにはＵＥ１６から受信したMeasurement Reportが設定される。
【００８４】
ＧＷ１がRANAP：Relocation Requestメッセージを受信すると、制御部１０５は受信したRANAP：Relocation Requestメッセージの情報とデータベース１０４に登録された情報とを比較し、Handover Target CellとしてＨＮＢ６が構築するフェムトセル９のCell Identityを特定し、ＨＮＢ６が接続されるＧＷ２をメッセージの送信先として選択する（動作Ｓ３７）。
【００８５】
続いて、制御部１０５は、Target Cell Identityとしてフェムトセル９のCell Identityを設定し、 宛先としてＧＷ２のアドレスを設定したRANAP：Relocation Requestメッセージを下位装置通信部１０２から送信する（動作Ｓ３８）。このRANAP：Relocation Requestメッセージを受信したＧＷ２の制御部２０５は、当該メッセージのTarget Cell IdentityからＨＮＢ６のフェムトセル９へのハンドイン手順であることが分かる。
【００８６】
３．４）ハンドオーバ先の選択
図１４において、ＧＷ１は、通信部１０１でコアネットワーク１５からRANAP：Relocation Requestメッセージを受信すると（動作Ｓ３１０）、制御部１０５は当該受信メッセージに含まれるTarget Cell Identityがデータベース１０４のＨＮＢ登録テーブルに含まれるか否かを確認する（動作Ｓ３１１）。含まれていなければ（動作Ｓ３１１；ＮＯ）、制御部１０５は、さらにMeasurement Reportが正しく設定されているか否かを確認する（動作Ｓ３１２）。例えばIntra-Frequency Measurement Event 1a, 1c, 1eなどハンドオーバ先を示すイベント情報であってEvent Resultに設定されたTarget PSCに対応するセルに対する２つ以上のＯＴＤ（Observed Time Difference）情報が設定されているかどうかを確認する。
【００８７】
Measurement Reportが正しく設定されていれば（動作Ｓ３１２；ＹＥＳ）、制御部１０５は、RANAP：Relocation Requestメッセージに設定されている各種情報によってデータベース１０４内のセル情報・時間差テーブルを用いてフィルタリングを実行する（動作Ｓ３１３）。このフィルタリング処理については後述する。
【００８８】
続いて、制御部１０５は、フィルタリング後に残ったレコード数（候補数）をチェックし（動作Ｓ３１４）、候補数が１であれば、当該候補に対応するフェムトセルのCell Identityを選択する（動作Ｓ３１５）。候補数が２以上であれば、RANAP：Relocation RequestメッセージのMeasured Resultに含まれるＯＴＤ情報から計算されたdelta_OTDと、残った候補の付加情報のdelta_OTD(other-f)、すなわち他のセルに関するOTDとフェムトセルに関するOTDとの差、を比較することで、最も多く合致する候補を１つだけ選択し、フェムトセルのCell Identityを特定する（動作Ｓ３１６）。いずれのdelta_OTD情報もターゲットセルおよびマクロセルを除く近隣セル情報であるから、delta_OTD情報が合致する近隣セル情報が多ければ多いほど高い確率でフェムトセルを特定できる。なお、Measured Resultに含まれるＯＴＤ情報からdelta_OTDを計算する方法の具体例は後述する。
【００８９】
こうして、動作Ｓ３１５およびＳ３１６によりフェムトセルのCell Identityが決定されると、制御部１０５は決定されたCell IdentityをRANAP：Relocation RequestメッセージのTarget Cell Identityに設定し、ＨＮＢ登録テーブルから当該Cell Identityに対応するＨＮＢ／ＧＷのアドレスを取得して宛先として設定する。こうして、RANAP：Relocation Requestメッセージをフェムトセル９のＨＮＢ６へ送信することができ、フェムトセル９へのハンドオーバを実行することができる（動作Ｓ３１７）。
【００９０】
Measurement Reportが正しく設定されていない場合（動作Ｓ３１２；ＮＯ）あるいは動作Ｓ３１４で候補数が０である場合には、制御部１０５はハンドオーバ失敗と判断し、RANAP: Relocation Failureをコアネットワーク１５に送信してハンドオーバを拒否する（動作Ｓ３１８）。また、受信したRANAP：Relocation Requestメッセージに含まれるTarget Cell Identityがデータベース１０４のＨＮＢ登録テーブルに含まれていれば（動作Ｓ３１１：ＹＥＳ）、Target Cell Identityは既にＲＮＣ１４またはコアネットワーク１５で一意なセルとして特定されていると判断し、ＨＮＢ登録テーブルから取得した当該Cell Identityに対応するＨＮＢ／ＧＷのアドレスに向けてRANAP: Relocation Requestメッセージを送信する（動作Ｓ３１９）。
【００９１】
＜delta_OTDの計算方法＞
上述した動作Ｓ３１６におけるMeasured Resultsからdelta_OTDを算出する方法の具体例を以下に示す。なお、この計算方法は、上記動作Ｓ３１３のフィルタリング処理でも用いられる（後述する図１５の動作Ｓ３３６参照）。
【００９２】
ＯＴＤは、セルの基準時刻であるP-CCPCHのSFNとＵＥの基準時刻であるRLC Transparent Mode Count-Cとの差であり、IE COUNT-C-SFN high, OFFおよびTmから構成される。ＯＴＤ情報はUEによって測定されたセル毎のＰＳＣとセットで、ＵＥから送信されるMeasurement ReportのMeasured Resultに含められる。マクロセル１３のＰＳＣは一般的にMeasurement ReportのMeasured Resultに含まれ、フェムトセル９のＰＳＣはMeasurement ReportのEvent Resultに含まれており、OTD_macro、OTD_femto、delta OTD(m-f)は以下の計算式によって算出される。
【００９３】
OTD_macro =（COUNT-C-SFN high (macro)*256 + OFF(macro)）* 38400 + Tm(macro) 
OTD_femto =（COUNT-C-SFN high (femto)*256 + OFF(femto)）* 38400 + Tm(femto) 
delta_OTD(m-f) = [(OTD_macro - OTD_femto) + 4096*38400] mod (4096*38400)
【００９４】
なお、3GPP TS25.215 version 11.0.0 Physical layer-Measurements (FDD) (Release 11)の定義に基づき、以下のように算出してもよい。
OTD_macro = OFF(macro)*38400 + Tm(macro) 
OTD_femto = OFF(femto)*38400 + Tm(femto) 
delta_OTD(m-f) = [(OTD_macro - OTD_femto) + 256*38400] mod (256*38400)
【００９５】
＜フィルタリング処理Ｓ３１３＞
以下、図７に例示されたセル情報・時間差テーブルを用いたフィルタリング処理（図１４の動作Ｓ３１３）について、図１５を参照しながら説明する。以下、フィルタリングキーとして、フェムトセルＰＳＣ、マクロセルＩＤ、仮想セルＩＤ、および、ＰＳＣとdelta_OTDの組を用いたフィルタリング処理手順について説明するが、これらのフィルタリングキーの適用順は任意であり、図１５に示す処理順は一例である。
【００９６】
図１５において、フェムトセルのＰＳＣをフィルタリングキーとする処理は以下の通りである。セル情報・時間差テーブルのRANAP: Relocation Requestメッセージに含まれるEvent ResultのＰＳＣに合致する候補のみを残す（動作Ｓ３３０）。
【００９７】
マクロセルＩＤをフィルタリングキーとする処理は以下の通りである。UTRAN Cell IdentityがUE History Informationの第１エントリに設定されているか否かを確認する（動作Ｓ３３１）。UTRAN Cell IdentityがUE History Informationの第１エントリに設定されていれば（動作Ｓ３３１；ＹＥＳ）、セル情報・時間差テーブルのマクロセル識別情報がRANAP: Relocation Requestメッセージに含まれるUE History Informationの第１エントリに設定されたセル識別情報と合致する候補のみを残す（動作Ｓ３３２）。
【００９８】
仮想セル識別情報をフィルタリングキーとする処理は以下の通りである。セル情報・時間差テーブルにおける仮想セル識別情報のいずれかが、RANAP: Relocation Requestメッセージに含まれるターゲットセル識別情報（Target Cell Identity）に合致する候補のみ残す（Ｓ３３３）。続いて、制御部１０５は、セル情報・時間差テーブルに少なくとも一つの候補が残るか否かを判定する（動作Ｓ３３４）。候補が残らない場合には（動作Ｓ３３４；ＮＯ）、動作Ｓ３３３のフィルタリング処理を実行する前の状態に戻す（動作Ｓ３３５）。候補が残っていれば（動作Ｓ３３４；ＹＥＳ）、そのまま次の処理へ進む。
【００９９】
ＰＳＣとdelta_OTDの組をフィルタリングキーとする処理は以下の通りである。まず、制御部１０５は受信したRANAP: Relocation RequestメッセージのMeasured Resultsからdelta_OTDを計算する（動作Ｓ３３６）。delta_OTDの計算は上述したとおりである。続いて、セル情報・時間差テーブルの｛マクロセルＰＳＣ、delta_OTD(m-f)｝が、Measured Resultsから得られた｛ＰＳＣ、計算されたdelta_OTD(m-f)｝と合致する候補のみ残す（動作Ｓ３３７）。なお、既に述べたように、delta_OTDの比較において、電波伝搬距離や長時間運用によるセルの基準信号のドリフトによって数チップずれる可能性を考慮し、同じか否かの判定のためのdelta_OTDの値に幅を持たせることもできる。例えば、delta_OTDのための幅が1000、delta_OTD値が10000の場合、delta_OTDの値が9000から11000までは同じdelta_OTDの情報を持つセルと判定してもよい。
【０１００】
３．５）ハンドアウトフェーズ
次に、フェムトセル９に在圏するＵＥ１６がマクロセル１３へハンドアウトする場合の動作を簡単に説明する。ただし、上述したようにHNB登録フェーズにおいてNeighbour InformationにマクロセルIDが含まれる場合には、以下のハンドアウトフェーズによるセル情報取得は不要となる。また、マクロセルIDが含まれない場合でも、図１５に示すフィルタリング処理によりセル特定は可能である。
【０１０１】
図１６において、ＧＷ１の制御部１０５は、下位装置からRANAP: Relocation Requiredメッセージを受信すると（動作Ｓ４０１）、その送信元がＧＷ２か否かを判定する（動作Ｓ４０２）。送信元がＧＷかＨＮＢかは、送信元アドレス、SCTP(Stream Control Transmission Protocol) Link情報、下位レイヤの情報等から把握できる。送信元がＧＷ２であれば（動作Ｓ４０２；ＹＥＳ）、UE History InformationにUTRAN Cell Identityが設定されているか否かを判定する（動作Ｓ４０３）。設定されていれば（動作Ｓ４０３；ＹＥＳ）、ＨＮＢ登録テーブルからUE History InformationのCell Identityに対応するＰＳＣ情報を検索する（動作Ｓ４０４）。
【０１０２】
続いて、RANAP: Relocation Requiredメッセージにおいて測定報告（Measurement Report）が正しく設定されているか否かを判定する（動作Ｓ４０５）。具体的には、図１４の動作Ｓ３１２で述べた判定方法と同様である。Measurement Reportが正しく設定されていれば（動作Ｓ４０５；ＹＥＳ）、RANAP: Relocation Requiredメッセージにおいて設定されるターゲットセル識別情報あるいは当該RANAP: Relocation Requiredメッセージの送信元であるＨＮＢ／ＧＷの周辺にあるマクロカバレッジ情報のセル識別情報が仮想セルＩＤテーブルに含まれるか否かを判定する（動作Ｓ４０６）。含まれる場合には（動作Ｓ４０６；ＹＥＳ）、ターゲットセル識別情報またはマクロカバレッジ情報のセル識別情報に対応する少なくとも１つの仮想セル識別情報を仮想セルＩＤテーブルから取得する（動作Ｓ４０７）。
【０１０３】
動作Ｓ４０７により仮想セル識別情報のリストを取得した場合あるいはターゲットセル識別情報あるいは送信元であるＨＮＢ／ＧＷの周辺にあるマクロカバレッジ情報のセル識別情報が仮想セルＩＤテーブルに含まれない場合（動作Ｓ４０６；ＮＯ）、制御部１０５は、受信したRANAP: Relocation Requiredメッセージの測定報告からdelta_OTDを算出する（動作Ｓ４０８）。計算方法の具体例は上述したとおりである。
【０１０４】
こうして、制御部１０５はデータベース１０４のセル情報・時間差テーブルに、ＨＮＢのセル識別情報およびＰＳＣ、仮想セルＩＤリスト、マクロセルのセル識別情報およびＰＳＣ、マクロセルとフェムトセルとのdelta_OTD、および、Measured Resultsに含まれる他のセルのＰＳＣと当該他のセルとフェムトセルとのdelta_OTDのリストを格納する（動作Ｓ４０９）。以下、通常のハンドアウト手順の残りを実行する（動作Ｓ４１０）。
【０１０５】
３．６）効果
上述したように、本発明の第１実施例によれば、ＧＷ２がＨＮＢ登録／更新メッセージを用いて、ＧＷ２の配下のセル７−９に関するセル情報を上位のＧＷ１へ通知し、これを用いてＧＷ１がセル情報に関するデータベースを構築する。マクロセル１３のＮｏｄｅＢ１２に無線接続中のＵＥ１６がマクロセル１３からＧＷ２配下のフェムトセル９へハンドインする場合、ＧＷ１は、ＲＮＣ１４から当該ハンドオーバ要求を受信すると、データベースに登録されたセル情報を参照することで、当該ハンドオーバのターゲットセルがＧＷ２配下のフェムトセル９であると知ることができ、ＧＷ２を通してＨＮＢ６へハンドオーバ要求を送信することができる。
【０１０６】
より具体的には、ＧＷ２がＨＮＢのセル識別情報およびＰＳＣ情報をＧＷ１へ送信しているので、ＧＷ１が、ＨＮＢのセル識別情報とＰＳＣ情報がＧＷ２配下の情報であることを記憶できる。したがって、ハンドインにおいてＧＷ１がターゲットセルを特定できるとともに、ハンドオーバ要求メッセージの送信先を決定することができ、ＵＥ１６の移動においても無線通信接続が切れることなく維持することが可能となる。
【０１０７】
また、ＧＷ１のデータベースは、セル識別情報をもつ配下のＨＮＢ／ＧＷのアドレス情報をＨＮＢ登録テーブルとして保持しているために、ハンドインフェーズにおいてハンドオーバ要求メッセージのターゲットセル識別情報が正しくターゲットセルを特定できている場合には、セル情報・時間差テーブルを利用することなく、一意にハンドオーバ要求メッセージの送信先アドレスをデータベースから決定することができる。
【０１０８】
さらに、ＧＷ１のデータベースは、マクロセル識別情報に対応する仮想セル識別情報を仮想セルＩＤテーブルとして保持しているため、ハンドインフェーズにおいて、ハンドオーバ要求メッセージのターゲットセル識別情報によるセル情報・時間差テーブルのフィルタリングが可能となり、ターゲットセルを特定する確率を高めることが可能である。
【０１０９】
さらに、ＧＷ２がＧＷ１に送信するメッセージはフェムトセルとマクロセルとのdelta_OTD情報を含むので、ＧＷ１がセル情報・時間差テーブルを構築することができ、ハンドインフェーズにおいて、ＧＷ１がターゲットセルを特定することが可能となる。
【０１１０】
また、ＧＷ２がＧＷ１に送信するメッセージは、フェムトセルの増設、減設、あるいはCell Identity変更、ＰＳＣ変更、近隣マクロセルの変化、フェムトセルとマクロセルとのdelta_OTDの変化を検出するたびに、更新された情報を送信することができる。したがって、ＧＷ１が最新のセル情報・時間差テーブルを構築することができる。
【０１１１】
また、ＧＷ２は、フェムトセルとマクロセルとのdelta_OTDの変化を考慮して、所定の閾値を超える場合にのみＧＷ２がＧＷ１へメッセージを送信する、という仕組みを設けている。これによって、ＧＷ１が最新のセル情報・時間差テーブルを構築する上で、頻繁に更新メッセージを送信する必要がなくなり、ネットワーク負荷の軽減に貢献する。
【０１１２】
また、ＧＷ１がセル情報・時間差テーブルの情報から同一セルとして判定するときにも、ある一定閾値以内であれば同じセルという判定をしているので、フェムトセルとマクロセルとのdelta_OTDの多少の揺らぎがあってもターゲットセルを特定することができる。
【０１１３】
また、ＨＮＢのフェムトセル識別情報、ＨＮＢが接続するＧＷ２のAddress情報およびセル情報・時間差テーブルのＧＷ１による管理が容易になり、非特許文献１、２に記載されているようなハンドインフェーズ前のハンドアウトフェーズが不要となる。
【０１１４】
４．第２実施例
本発明の第２実施例によれば、ＧＷ１のデータベース情報は、端末ＵＥ１６がフェムトセル９からマクロセル１３へのハンドアウトする際のハンドオーバ要求メッセージを利用して構築される。以下、図１７および図１８を参照しながら、ハンドアウトフェーズにおけるセル情報の登録／更新動作について説明する。
【０１１５】
４．１）セル情報の登録／更新動作
図１７および図１８において、ＵＥ１６はフェムトセル９内でＨＮＢ６と無線接続しながら、フェムトセル９のパイロット信号からＰＳＣCell9を、マクロセル１３のパイロット信からＰＳＣCell13を、それぞれ受信する。そして、マクロセル１３のパイロット受信電力の方がフェムトセル９のパイロット受信電力よりも大きいなどの測定結果に基づき、ＨＮＢ６を通してＧＷ２へ測定報告（Measurement Report）を送信する（動作Ｓ４０）。
【０１１６】
このMeasurement Reportには、Event Result（イベント結果）とMeasured Result（測定結果）とが含まれ、Event Resultにはマクロセル１３のＰＳＣCell13が設定され、Measured Resultには、マクロセル１３に関する情報（ＰＳＣCell13、ＵＥ１６とマクロセル１３との基準時刻の時間差ＯＴＤcell13）と、フェムトセル９に関する情報（ＰＳＣCell9、ＵＥ１６とマフェムトセル９との基準時刻の時間差ＯＴＤcell9）と、が設定される。ここで扱われる時間差ＯＴＤとは、フェムトセル９とマクロセル１３のプライマリＣＣＰＣＨ(Common Control Physical Channel)という物理チャネルのＳＦＮ（System Frame Number）と、ＵＥ１６のRLC Transparent ModeのCOUNT-CとのFrame OffsetとChip Offsetである。3GPP TS25.331 V11.4.0 (2013-1) Radio Resource Control (RRC); Protocol specification (Release 11)では、当該ＯＴＤはCOUNT-C-SFN high, OFFおよび Tmの３つのパラメータで表現される。
【０１１７】
Measurement Reportメッセージを受信すると、ＧＷ２は、3GPP TS 25.413 V11.2.0 (2012-12) UTRAN Iu interface Radio Access Network Application Part (RANAP) signalling (Release 11)に記載されているようにRANAP：Relocation Required（ハンドオーバ要求）メッセージを構築し、ＧＷ１へ送信する（動作Ｓ４１）。このRelocation Requiredメッセージには、
１）Target ID（ターゲット識別情報）
２）Target Cell Identity（ターゲットセル識別情報）
３）UE History Information（端末履歴情報）
４）Source RNC to Target RNC Transparent Container（ソース−ターゲットＲＮＣ間トランスペアレントコンテナ）
が設定される。ここでは、Target IDにはＲＮＣ１４の識別情報が、Target Cell Identityにはマクロセル１３のセル識別情報がそれぞれ設定される。さらに、UE History Informationには、IE Cell IdentityとしてＵＥ１６が在圏したフェムトセル９の識別情報およびＰＳＣの組合せが設定される。
【０１１８】
RANAP：Relocation Required（ハンドオーバ要求）メッセージを受信すると、ＧＷ１は当該受信したRANAP：Relocation Requestメッセージの内容からデータベース１０４のＨＮＢ登録テーブルおよびセル情報・時間差テーブルを構築する（動作Ｓ４２）。さらに、ＧＷ１は、コアネットワーク１５へRANAP：Relocation Requiredメッセージを送信する（動作Ｓ４３）。この動作Ｓ４３におけるRANAP：Relocation Requiredメッセージの構成は動作Ｓ４１におけるRANAP: Relocation Requiredメッセージとは、以下の点を除いて同等である。
【０１１９】
すなわち、動作Ｓ４１におけるRANAP: Relocation Requiredメッセージに含まれていたハンドオーバ前セルのＰＳＣ情報（ここではPSCCell9）は削除され、動作Ｓ４３におけるRANAP：Relocation RequiredメッセージのUE History Informationには、IE Cell IdentityにＵＥ１６が在圏したセルのセル識別情報（ここではCell9）が、IE UE Stayed in CellにＵＥ１６の過去のセル滞在時間（ここでは、TimeCell9）が、それぞれ在圏したセルの数だけ設定される。
【０１２０】
ＲＮＣ１４は、ＧＷ１からコアネットワーク１５を通してRANAP: Relocation Requestメッセージを受信すると、それ以降、通常のハンドオーバ処理が実行される。なお、ＧＷ１からＲＮＳ１４へ、コアネットワーク１５を通さずに、直接にハンドオーバ要求メッセージが送信されてもよい。
【０１２１】
＜セル情報の登録＞
図１９に示すように、第２実施例におけるセル情報の登録手順は、図１２に示す第１実施例の登録手順（動作Ｓ３０１〜Ｓ３０８）から動作Ｓ３０５およびＳ３０６を除いた手順と同じである。
【０１２２】
すなわち、図１９において、登録されたＨＮＢが単一のフェムトセルを有するＨＮＢであれば（動作Ｓ３０３；ＮＯ）、制御部１０５は、ＨＮＢのCell Identity、PSCおよびAddressの組合せをデータベース１０４の基地局登録テーブルに登録する（動作Ｓ３０４）。動作Ｓ３０４の登録が完了した場合あるいは登録されたＨＮＢが複数のフェムトセルを有するＧＷ２である場合（動作Ｓ３０３；ＹＥＳ）、制御部１０５は、受信したHNB REGISTER REQUESTメッセージにＨＮＢ／ＧＷに隣接するマクロセルが設定されているか否かを判定する（動作Ｓ３０７）。HNB REGISTER REQUESTメッセージにLocal Cell Informationが含まれているか否かの判定（動作Ｓ３０５）およびＨＮＢ登録テーブルの登録（動作Ｓ３０６）は実行されない。
【０１２３】
＜ハンドアウト時のセル情報登録＞
図２０に示すように、第２実施例におけるハンドアウト手順は、図１６に示す第１実施例のハンドアウト手順（動作Ｓ４０１〜Ｓ４１０）のうち動作Ｓ４０４のみが異なっている。
【０１２４】
図２０において、ＧＷ１の制御部１０５は、下位装置からRANAP: Relocation Requiredメッセージを受信すると（動作Ｓ４０１）、その送信元がＧＷ２か否かを判定する（動作Ｓ４０２）。送信元がＧＷかＨＮＢかは、送信元アドレス、SCTP(Stream Control Transmission Protocol) Link情報、下位レイヤの情報等から把握できる。送信元がＧＷ２であれば（動作Ｓ４０２；ＹＥＳ）、UE History InformationにUTRAN Cell Identityが設定されているか否かを判定する（動作Ｓ４０３）。設定されていれば（動作Ｓ４０３；ＹＥＳ）、ＨＮＢのセル識別情報およびＰＳＣとＧＷ２のアドレス情報とをデータベース１０４のＨＮＢ登録テーブルに格納する（動作Ｓ４０４ａ）。
【０１２５】
続いて、RANAP: Relocation Requiredメッセージにおいて測定報告（Measurement Report）が正しく設定されているか否かを判定する（動作Ｓ４０５）。具体的には、図１４の動作Ｓ３１２で述べた判定方法と同様である。Measurement Reportが正しく設定されていれば（動作Ｓ４０５；ＹＥＳ）、RANAP: Relocation Requiredメッセージにおいて設定されるターゲットセル識別情報あるいは当該RANAP: Relocation Requiredメッセージの送信元であるＨＮＢ／ＧＷの周辺にあるマクロカバレッジ情報のセル識別情報が仮想セルＩＤテーブルに含まれるか否かを判定する（動作Ｓ４０６）。含まれる場合には（動作Ｓ４０６；ＹＥＳ）、ターゲットセル識別情報またはマクロカバレッジ情報のセル識別情報に対応する少なくとも１つの仮想セル識別情報を仮想セルＩＤテーブルから取得する（動作Ｓ４０７）。
【０１２６】
動作Ｓ４０７により仮想セル識別情報のリストを取得した場合あるいはターゲットセル識別情報あるいは送信元であるＨＮＢ／ＧＷの周辺にあるマクロカバレッジ情報のセル識別情報が仮想セルＩＤテーブルに含まれない場合（動作Ｓ４０６；ＮＯ）、制御部１０５は、受信したRANAP: Relocation Requiredメッセージの測定報告からdelta_OTDを算出する（動作Ｓ４０８）。計算方法の具体例は上述したとおりである。
【０１２７】
こうして、制御部１０５はデータベース１０４のセル情報・時間差テーブルに、ＨＮＢのセル識別情報およびＰＳＣ、仮想セルＩＤリスト、マクロセルのセル識別情報およびＰＳＣ、マクロセルとフェムトセルとのdelta_OTD、および、Measured Resultsに含まれる他のセルのＰＳＣと当該他のセルとフェムトセルとのdelta_OTDのリストを格納する（動作Ｓ４０９）。以下、通常のハンドアウト手順の残りを実行する（動作Ｓ４１０）。
【０１２８】
４．２）ハンドインフェーズ
上述したようにデータベース１０４のＨＮＢ登録テーブル、仮想セルＩＤテーブルおよびセル情報・時間差テーブルが構築され、このデータベース情報を利用することで、第１実施例と同様に、図１３および図１４で説明したハンドイン手順を実行することができる。
【０１２９】
４．３）効果
上述したように、本発明の第２実施例によれば、以下の効果を得ることができる。
まず、ＧＷ２からＧＷ１へ通知されるハンドオーバ要求メッセージを用いて、ＧＷ２の配下のセル７−９に関するセル情報を上位のＧＷ１へ通知し、これを用いてＧＷ１がセル情報に関するデータベースを構築する。マクロセル１３のＮｏｄｅＢ１２に無線接続中のＵＥ１６がマクロセル１３からＧＷ２配下のフェムトセル９へハンドインする場合、ＧＷ１は、ＲＮＣ１４から当該ハンドオーバ要求を受信すると、データベースに登録されたセル情報を参照することで、当該ハンドオーバのターゲットセルがＧＷ２配下のフェムトセル９であると知ることができ、ＧＷ２を通してＨＮＢ６へハンドオーバ要求を送信することができる。
【０１３０】
より具体的には、ＧＷ２がＨＮＢのセル識別情報およびＰＳＣ情報をＧＷ１へ送信しているので、ＧＷ１が、ＨＮＢのセル識別情報とＰＳＣ情報がＧＷ２配下の情報であることを記憶できる。したがって、ハンドインにおいてＧＷ１がターゲットセルを特定できるとともに、ハンドオーバ要求メッセージの送信先を決定することができ、ＵＥ１６の移動においても無線通信接続が切れることなく維持されうる。
【０１３１】
また、ハンドアウトフェーズにおいてＧＷ２からＧＷ１に送信されるRANAP: Relocation Requiredメッセージ内のUE History InformationにおけるIE Cell IdentityとTime UE Stayed In Cell IEとに、ＨＮＢのセル識別情報およびＰＳＣ情報に加えて、既存のIE Cell IdentityとTime UE Stayed In Cell IEも設定する。さらに、ＧＷ１がＲＮＣ１４へ送信するRANAP: Relocation Requiredメッセージ内のUE History InformationにおけるIE Cell IdentityおよびTime UE Stayed In Cell IEには、既存のIE Cell IdentityとTime UE Stayed In Cell IEのみを設定する。したがって、ＧＷ１からＲＮＣ１４へ送信されるハンドオーバ要求メッセージに新たなパラメータを追加する必要がなくなり、コアネットワーク１５やＲＮＣ１４において通常通りのハンドアウト時のハンドオーバ要求メッセージ設定が利用できる。
【０１３２】
また、ＧＷ１のデータベースは、セル識別情報をもつ配下のＨＮＢ／ＧＷのアドレス情報をＨＮＢ登録テーブルとして保持しているために、ハンドインフェーズにおいてハンドオーバ要求メッセージのターゲットセル識別情報が正しくターゲットセルを特定できている場合には、セル情報・時間差テーブルを利用することなく、一意にハンドオーバ要求メッセージの送信先アドレスをデータベースから決定することができる。
【０１３３】
ＧＷ１は、マクロセルの識別情報に対応する仮想セルＩＤテーブルを内部データベース１０４に保持しているので、ハンドアウトフェーズにおいて、セル情報・時間差テーブルにターゲットセルであるマクロセルまたはＨＮＢ／ＧＷ２の近隣マクロセルに対応する仮想セルＩＤリストも記憶することができる。これにより、ハンドインフェーズにおいて、RANAP Relocation Requestメッセージのターゲットセル識別情報によるセル情報・時間差テーブルのフィルタリングが可能となり、ターゲットセルを特定する確率を高めることができる。
【０１３４】
ＧＷ１は、ＨＮＢ／ＧＷ２のＨＮＢ登録手順において、セル識別情報と当該セル識別情報をもつＨＮＢ／ＧＷ２のアドレス情報との組み合わせを自動的に内部データベース１０４に構築するので、ハンドインフェーズにおいて、RANAP Relocation Requestメッセージのターゲットセル識別情報が正しくターゲットセルを特定できている場合には、RANAP Relocation Requestメッセージの送信先アドレスをデータベース１０４から決定することが可能となる。
【０１３５】
ＧＷ１は、ハンドアウトフェーズにおいて、RANAP: Relocation RequiredメッセージのUE History InformationからＨＮＢのセル識別情報と、RANAP: Relocation Requiredメッセージの送信元であるＧＷ２のアドレス情報との組み合わせを自動的に内部データベース１０４に構築するので、ハンドインフェーズにおいて、RANAP Relocation Requestメッセージのターゲットセル識別情報が正しくターゲットセルを特定できている場合には、RANAP Relocation Requestメッセージの送信先アドレスをデータベース１０４から決定することが可能となる。
【０１３６】
さらに、ＧＷ１はセル情報・時間差テーブルのdelta_OTD情報において、同一と判定する際の幅を設けているので、セル内のハンドオーバ地点による伝搬距離差に起因するOTDのズレが生じ、その結果、delta_OTD情報にもズレが生じたとしても、ＧＷ１が同一のセルと判定することができ、ターゲットセルの特定確率を高めることが可能となる。また、セルの長時間運用によってセルの基準信号の送信タイミングに多少ズレが生じたとしても、同様の効果が得られる。
【０１３７】
５．他の実施例
ＨＮＢのセル識別情報およびＰＳＣとの組合せをＧＷ１が知る方法としては、上述した第１実施例のようにＨＮＢ登録／更新メッセージを利用する方法、第２実施例のようにUE History InformationのIE Time UE Stayed in Cellを利用する方法があるが、ネットワークアーキテクチャあるいはアクセス方式によって他の方法を採用することも可能である。以下、他の実施例について説明する。
【０１３８】
５．１）第３実施例
本発明の第３実施例によれば、UE History Informationに一つのCell IdentityとPSCの組合せを設定する。
【０１３９】
図１８に示すハンドアウトシーケンスにおいて、動作Ｓ４１のRANAP：Relocation Requiredメッセージでは、IE UE History InformationにCell IdentityとTime UE Stayed in Cellの組合せが複数設定可能である。上述した第２実施例では、本来設定のUE History Informationの情報に加えて、Time UE Stayed in Cell IEにＨＮＢのＰＳＣとセル識別情報との組合せを追加で設定している。
【０１４０】
これに対して、ＨＮＢのセル識別情報とＰＳＣの組合せのみを一つだけ設定する、という方法も可能である。この場合、図１８の動作Ｓ４３において、ＧＷ１がコアネットワーク１５に送信するRANAP Relocation RequiredメッセージではIE UE History Informationが設定されない。
【０１４１】
第３実施例によれば、ＧＷ２がＨＮＢのセル識別情報およびＰＳＣ情報をＧＷ１へ送信しているので、ＧＷ１が、ＨＮＢのセル識別情報とＰＳＣ情報がＧＷ２配下の情報であることを記憶できる。したがって、ハンドインにおいてＧＷ１がターゲットセルを特定できるとともに、ハンドオーバ要求メッセージの送信先を決定することができ、ＵＥ１６の移動においても無線通信接続が切れることなく維持されうる。
【０１４２】
さらに、ハンドアウトフェーズにおいてＧＷ２からＧＷ１に送信されるRANAP: Relocation Requiredメッセージ内のUE History InformationにおけるIE Cell IdentityとTime UE Stayed In Cell IEとに、ＨＮＢのセル識別情報およびＰＳＣ情報に加えて、既存のIE Cell IdentityとTime UE Stayed In Cell IEも設定する。さらに、ＧＷ１がＲＮＣ１４へ送信するRANAP: Relocation Requiredメッセージ内のUE History InformationにおけるIE Cell IdentityおよびTime UE Stayed In Cell IEには、既存のIE Cell IdentityとTime UE Stayed In Cell IEのみを設定する。したがって、ＧＷ１からＲＮＣ１４へ送信されるハンドオーバ要求メッセージに新たなパラメータを追加する必要なくなり、コアネットワーク１５やＲＮＣ１４において通常通りのハンドアウト時のハンドオーバ要求メッセージ設定が利用できる。
【０１４３】
５．２）第４実施例
本発明の第４実施例によれば、Measured Resultにおいて含められる測定情報のセルとして、ソースセルとターゲットセルの２セルのみを設定する。
【０１４４】
第４実施例によれば、ハンドアウトフェーズにおいて、図１８の動作Ｓ４１に記載されたRANAP Relocation RequiredメッセージのMeasurement ReportのMeasured ResultにソースセルのPSCおよびOTD情報とターゲットセルのPSCおよびOTD情報のみを設定する。この場合、IE UE History Informationは、既存設定のUE History Informationの情報のみを設定すればよいので、図１８の動作Ｓ４３においてＧＷ１がコアネットワーク１５に送信するRANAP Relocation RequiredメッセージのIE UE History Informationに動作Ｓ４１で設定されたものと同じ値を設定することができる。
【０１４５】
また、RANAP Relocation RequiredメッセージのMeasurement ReportのEvent Resultに設定されているPSCはターゲットセルのPSCであるから、UE History Informationの最初のCell Identityに対応付けられるPSCは、RANAP Relocation RequiredメッセージのMeasurement ReportのEvent Resultに設定されたPSCではない、もう一方のPSCである。
【０１４６】
このようにして、ソースセルであるＨＮＢのセルPSCとＨＮＢのセル識別情報とのマッピングを取得し、ＨＮＢ登録テーブルに保存すると共に、セル情報・時間差テーブルを作成するための情報として利用する事ができる。
【０１４７】
本発明の第４実施例によれば、ＧＷ２がＨＮＢのセル識別情報およびＰＳＣ情報をＧＷ１へ送信しているので、ＧＷ１が、ＨＮＢのセル識別情報とＰＳＣ情報がＧＷ２配下の情報であることを記憶できる。したがって、ハンドインにおいてＧＷ１がターゲットセルを特定できるとともに、ハンドオーバ要求メッセージの送信先を決定することができ、ＵＥ１６の移動においても無線通信接続が切れることなく維持されうる。
【０１４８】
また、ＧＷ１のデータベースは、セル識別情報をもつ配下のＨＮＢ／ＧＷのアドレス情報をＨＮＢ登録テーブルとして保持している。このために、ハンドインフェーズにおいてハンドオーバ要求メッセージのターゲットセル識別情報が正しくターゲットセルを特定できている場合には、セル情報・時間差テーブルを利用することなく、一意にハンドオーバ要求メッセージの送信先アドレスをデータベースから決定することができる。
【０１４９】
ＧＷ１は、ＨＮＢ／ＧＷ２のＨＮＢ登録手順において、セル識別情報と当該セル識別情報をもつＨＮＢ／ＧＷ２のアドレス情報との組み合わせを自動的に内部データベース１０４に構築する。したがって、ハンドインフェーズにおいて、RANAP Relocation Requestメッセージのターゲットセル識別情報が正しくターゲットセルを特定できている場合には、RANAP Relocation Requestメッセージの送信先アドレスをデータベース１０４から決定することが可能となる。
【０１５０】
ＧＷ１は、ハンドアウトフェーズにおいて、RANAP: Relocation RequiredメッセージのUE History InformationからＨＮＢのセル識別情報と、RANAP: Relocation Requiredメッセージの送信元であるＧＷ２のアドレス情報との組み合わせを自動的に内部データベース１０４に構築する。したがって、ハンドインフェーズにおいて、RANAP Relocation Requestメッセージのターゲットセル識別情報が正しくターゲットセルを特定できている場合には、RANAP Relocation Requestメッセージの送信先アドレスをデータベース１０４から決定することが可能となる。
【０１５１】
５．３）第５実施例
本発明の第５実施例によれば、収容するＧＷ２と収容される複数のＨＮＢとの関係は、ＧＷ１にとってＧＷ２の配下の一つ以上のセルが一つのセルとして管理されるのであれば、以下の形態を持ってもよい。
【０１５２】
ａ）ＧＷとＨＮＢが多段構成されるＨＮＢシステム。企業内ＧＷ等で利用することができ、構成としては複数のＧＷが中間に存在しても良い。
ｂ）ＧＷ配下に接続されるＲＮＣと複数のＮｏｄｅＢとで構成される無線ネットワークシステム。
ｃ）Donor基地局とRelay基地局からなるリレーシステム。Donor基地局は一つないし複数のRelay基地局と有線ないし無線接続を行い、Donor基地局もセルを構築してもよい。
ｄ）C/U分離基地局システム。C-Plane制御は代表的な一つのシステムで集約し、U-PlaneのRadio Pointは複数存在する。
上述したａ）〜ｄ）のシステム形態であっても、本発明は適用可能である。
【０１５３】
５．４）第６実施例
上述した第１〜第５実施例ではＷＣＤＭＡ技術をベースとして記載しているが、ＬＴＥ(Long Term Evolution)やGSM、WiFi等他の無線システムであっても適用可能である。
【０１５４】
たとえばＬＴＥではHeNBGWとHeNBとが一つのフェムト基地局システムであり、オペレータネットワークの第１HeNBGWに企業内ネットワークの第２HeNBGWが接続され、さらにその配下にHeNBが複数接続される。このような形態であっても、第１HeNBGWは第２HeNBGW配下のセルの物理セル識別情報（PCI: Physical Cell Identity)と論理セル識別情報(Cell Identity)との組み合わせを管理し、マクロeNBとHeNBとのDelta_OTDを利用してHand-in/out動作に適用可能である。
【０１５５】
５．５）第７実施例
上述した第２実施例では、ＵＥのセル測定としてEvent 1aやEvent 1c等のIntra Frequency Measurementを利用したが、Inter Frequency Measurementや、OTDOA measurementを利用することもできる。異周波数ハンドオーバの場合、ＨＮＢのセルは、異周波においてもＨＮＢセルのシステム情報のみを報知するビーコンセルとして存在してもよい。delta_OTD情報としてTmの値のみ利用する事も考えられる。
【０１５６】
５．６）第８実施例
本発明の第８実施例によれば、ＧＷ１、ＲＮＣ１４、ＨＮＢの装置間通信によるセル情報・時間差テーブルを構築する。
【０１５７】
上述した第１〜第７実施例において、セル情報・時間差テーブルは、メッセージに設定されている情報から構築したが、ＧＷ１、ＲＮＣ１４、ＨＮＢおよびＧＷ２はそれぞれ基準時刻を保持しているので、直接装置間通信によってタイミングの違いを認識する事が可能である。装置間通信に各セルの基準時刻の情報も付与する事によって、セル情報・時間差テーブルをＧＷ１で構築する事が可能となる。
【０１５８】
５．７）第９実施例
本発明の第９実施例によれば、セル情報・時間差テーブルをＧＷ１のシステムパラメータとして構築する。
【０１５９】
上述した第１〜第８実施例において、セル情報・時間差テーブルやＨＮＢ登録テーブルは、ＧＷ１が装置間メッセージの送受信や装置間同期機能から自ら構築するものであったが、第９実施例によれば、その情報を外部インターフェースを通して設定することもできる。たとえば手動で入力してもよし、他ノードが第２中継装置の情報を収集したり、第２中継装置を含むフィールドネットワーク情報を収集したりするような試験端末が存在すれば、その試験端末や他ノードから第１中継装置へ情報を送付するようにしてもよい。
【０１６０】
５．８）第１０実施例
本発明の第１０実施例によれば、セル情報・時間差テーブルをＧＷ１とＧＷ２においてそれぞれ構築する。
【０１６１】
上述した第１〜第９実施例において、セル情報・時間差テーブルは、ＧＷ１が保持するデータベース１０４として構築していたが、同様の仕組みをＧＷ２に設けることもできる。
【０１６２】
上述した実施形態および実施例において、上述した基地局、中継装置の処理は、それぞれ目的に応じて作製された論理回路で行うようにしても良い。また、処理内容を手順として記述したプログラムを基地局や中継装置にてそれぞれ読取可能な記録媒体に記録し、この記録媒体に記録されたプログラムを基地局や中継装置にそれぞれ読み込ませ、実行するものであっても良い。基地局や中継装置にて読取可能な記録媒体とは、フロッピーディスク（登録商標）、光磁気ディスク、ＤＶＤ、ＣＤなどの移設可能な記録媒体の他、基地局や中継装置にそれぞれ内蔵されたＲＯＭ、ＲＡＭ等のメモリやＨＤＤ等を指す。この記録媒体に記録されたプログラムは基地局や中継装置内のＣＰＵ（不図示）にてそれぞれ読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【０１６３】
６．付記
上述した実施形態の一部あるいは全部は、以下の付記のようにも記載されうるが、これらに限定されるものではない。
【０１６４】
（付記１）
通信ネットワークに基地局制御装置および第１中継装置が接続され、前記基地局制御装置の配下に少なくとも１つの第１基地局が接続され、前記第１中継装置の配下に少なくとも第２中継装置が接続され、前記第２中継装置の配下に少なくとも１つの第２基地局が接続された無線通信システムにおけるハンドオーバ制御方法であって、
前記第１中継装置が、前記第２中継装置の配下の第２基地局が制御するセルのセル情報を取得し、
無線局が無線接続中の前記第１基地局から前記第２基地局へハンドオーバするハンドインフェーズにおいて、前記第１中継装置が、前記セル情報を用いて、前記ハンドオーバのターゲットセルを特定する、
ことを特徴とするハンドオーバ制御方法。
（付記２）
前記セル情報は、前記配下の第２基地局のセルを識別する論理セル識別情報と物理セル識別情報と、を含むことを特徴とする付記１に記載のハンドオーバ制御方法。
（付記３）
前記第１中継装置が、前記基地局制御装置から受信したハンドオーバ要求メッセージに含まれる前記ターゲットセルの物理セル識別情報と前記セル情報とを用いて、前記ターゲットセルを特定することを特徴とする付記２に記載のハンドオーバ制御方法。
（付記４）
前記セル情報は、さらに、前記第２基地局が制御するセルの隣接セルが使用する物理セル識別情報と、前記セルと前記隣接セルとの間の基準時刻の時間差情報と、を含むことを特徴とする付記２または３に記載のハンドオーバ制御方法。
（付記５）
前記第１中継装置が、前記基地局制御装置から受信したハンドオーバ要求メッセージに含まれる前記ターゲットセルの物理セル識別情報と、当該ターゲットセルとソースセルとの間の基準時刻の時間差情報と、前記セル情報とを用いて、前記ターゲットセルを特定することを特徴とする付記４に記載のハンドオーバ制御方法。
（付記６）
前記第１中継装置が前記セル情報を外部から入力することを特徴とする付記１−５のいずれか１項に記載のハンドオーバ制御方法。
（付記７）
前記第２中継装置が、配下の第２基地局に関する情報を送信する基地局登録メッセージあるいは基地局更新メッセージを用いて前記セル情報を前記第１中継装置へ通知することを特徴とする付記６に記載のハンドオーバ制御方法。
（付記８）
前記第２中継装置が、前記第２基地局から前記第１基地局へハンドオーバするハンドアウトフェーズのハンドオーバ要求メッセージを用いて、前記セル情報を前記第１中継装置へ通知することを特徴とする付記６に記載のハンドオーバ制御方法。
（付記９）
前記ハンドアウトフェーズのハンドオーバ要求メッセージは、前記無線局の履歴情報に関する情報要素に当該ハンドオーバのソースセルの物理セル識別情報が設定され、前記第１中継装置から前記基地局制御装置へ送信されるハンドオーバ要求メッセージは、前記無線局の履歴情報に関する情報要素に通常の滞在時間情報が設定されることを特徴とする付記８に記載のハンドオーバ制御方法。
（付記１０）
前記第１中継装置が、その直下の基地局のセルおよび前記第２基地局のセルに関する論理セル識別情報と、前記直下の基地局、前記第２基地局および前記第２中継装置のアドレス情報とを対応づけた基地局登録テーブルを保持し、
前記基地局制御装置から受信したハンドオーバ要求メッセージのターゲットセルの論理セル識別情報を用いて前記基地局登録テーブルを検索し、前記ターゲットセルおよび前記ハンドオーバ要求メッセージの送信先アドレスを特定する、
ことを特徴とする付記１−９のいずれか１項に記載のハンドオーバ制御方法。
（付記１１）
前記第１中継装置が、前記第１基地局のセルの論理セル識別情報と、前記少なくとも１つの第２基地局を含む少なくとも１つの仮想セルの論理セル識別情報と、前記第１基地局のセルと隣接する第２基地局のセルの論理セル識別情報と、を対応づけたセル情報テーブルを保持し、
前記基地局制御装置から受信したハンドオーバ要求メッセージのターゲットセルの論理セル識別情報を用いて前記セル情報テーブルを検索し、前記ターゲットセルの候補を絞り込む、
ことを特徴とする付記１−１０のいずれか１項に記載のハンドオーバ制御方法。
（付記１２）
前記セル情報テーブルは、さらに、前記第２基地局のセルの隣接セルが使用する物理セル識別情報と、前記第１基地局のセルと隣接する第２基地局のセルが使用する物理セル識別情報と、前記第２基地局のセルとその隣接セルとの間の基準時刻の時間差情報と、を含み、
前記ハンドオーバ要求メッセージのターゲットセルの物理セル識別情報と、前記ターゲットセルとソースセルとの間の基準時刻の時間差情報とを用いて前記セル情報テーブルを検索することで、前記ターゲットセルの候補を更に絞り込む、
ことを特徴とする付記１１に記載のハンドオーバ制御方法。
（付記１３）
前記セル情報テーブルは、さらに、前記第２基地局のセルおよび前記第１基地局のセルを除いた他のセルが使用する物理セル識別情報と、前記他のセルと前記第２基地局のセルとの間の基準時刻の時間差情報と、を含み、
前記ハンドオーバ要求メッセージのターゲットセルの物理セル識別情報と、前記ターゲットセルとソースセルとの間の基準時刻の時間差情報とを用いて前記セル情報テーブルを検索することで、前記ターゲットセルの候補を更に絞り込む、
ことを特徴とする付記１１または１２に記載のハンドオーバ制御方法。
（付記１４）
前記第１中継装置および前記第２中継装置が、セル間の基準時刻の時間差情報を同一と判定するための幅を設定したことを特徴とする付記４、５、１２および１３のいずれか１項に記載のハンドオーバ制御方法。
（付記１５）
前記第１中継装置が、前記セル情報を用いて、前記ハンドオーバのターゲットセルまでの経路を特定することを特徴とする付記１−１４のいずれか１項に記載のハンドオーバ制御方法。
（付記１６）
基地局制御装置が接続された通信ネットワークに接続され、配下に少なくとも下位中継装置が接続された中継装置であって、前記基地局制御装置の配下に少なくとも１つの第１基地局が接続され、前記下位中継装置の配下に少なくとも１つの第２基地局が接続されており、
前記下位中継装置の配下の第２基地局が制御するセルのセル情報を格納する格納手段と、
無線局が無線接続中の前記第１基地局から前記第２基地局へハンドオーバするハンドインフェーズにおいて、前記セル情報を用いて、前記ハンドオーバのターゲットセルを特定する制御手段と、
を有することを特徴とする中継装置。
（付記１７）
前記セル情報は、前記配下の第２基地局のセルを識別する論理セル識別情報と物理セル識別情報と、を含むことを特徴とする付記１６に記載の中継装置。
（付記１８）
前記制御手段は、前記基地局制御装置から受信したハンドオーバ要求メッセージに含まれる前記ターゲットセルの物理セル識別情報と前記セル情報とを用いて、前記ターゲットセルを特定することを特徴とする付記１７に記載の中継装置。
（付記１９）
前記セル情報は、さらに、前記第２基地局が制御するセルの隣接セルが使用する物理セル識別情報と、前記セルと前記隣接セルとの間の基準時刻の時間差情報と、を含むことを特徴とする付記１７または１８に記載の中継装置。
（付記２０）
前記制御手段は、前記基地局制御装置から受信したハンドオーバ要求メッセージに含まれる前記ターゲットセルの物理セル識別情報と、当該ターゲットセルとソースセルとの間の基準時刻の時間差情報と、前記セル情報とを用いて、前記ターゲットセルを特定することを特徴とする付記１９に記載の中継装置。
（付記２１）
前記制御手段は、前記セル情報を外部から入力することを特徴とする付記１６−２０のいずれか１項に記載の中継装置。
（付記２２）
前記制御手段は、前記下位中継装置から、その配下の第２基地局に関する情報を送信する基地局登録メッセージあるいは基地局更新メッセージを用いて前記セル情報を受信することを特徴とする付記２１に記載の中継装置。
（付記２３）
前記制御手段は、前記下位中継装置から、前記第２基地局から前記第１基地局へハンドオーバするハンドアウトフェーズのハンドオーバ要求メッセージを用いて、前記セル情報を受信することを特徴とする付記２１に記載の中継装置。
（付記２４）
前記ハンドアウトフェーズのハンドオーバ要求メッセージは、前記無線局の履歴情報に関する情報要素に当該ハンドオーバのソースセルの物理セル識別情報が設定されており、前記制御手段は、前記基地局制御装置へ送信するハンドオーバ要求メッセージの前記無線局の履歴情報に関する情報要素に通常の滞在時間情報を設定する、ことを特徴とする付記２３に記載の中継装置。
（付記２５）
前記格納手段は、当該中継装置の直下の基地局のセルおよび前記第２基地局のセルに関する論理セル識別情報と、前記直下の基地局、前記第２基地局および前記下位中継装置のアドレス情報とを対応づけた基地局登録テーブルを保持し、
前記制御手段は、前記基地局制御装置から受信したハンドオーバ要求メッセージのターゲットセルの論理セル識別情報を用いて前記基地局登録テーブルを検索し、前記ターゲットセルおよび前記ハンドオーバ要求メッセージの送信先アドレスを特定する、
ことを特徴とする付記１６−２４のいずれか１項に記載の中継装置。
（付記２６）
前記格納手段は、前記第１基地局のセルの論理セル識別情報と、前記少なくとも１つの第２基地局を含む少なくとも１つの仮想セルの論理セル識別情報と、前記第１基地局のセルと隣接する第２基地局のセルの論理セル識別情報と、を対応づけたセル情報テーブルを保持し、
前記制御手段は、前記基地局制御装置から受信したハンドオーバ要求メッセージのターゲットセルの論理セル識別情報を用いて前記セル情報テーブルを検索し、前記ターゲットセルの候補を絞り込む、
ことを特徴とする付記１６−２５のいずれか１項に記載の中継装置。
（付記２７）
前記セル情報テーブルは、さらに、前記第２基地局のセルの隣接セルが使用する物理セル識別情報と、前記第１基地局のセルと隣接する第２基地局のセルが使用する物理セル識別情報と、前記第２基地局のセルとその隣接セルとの間の基準時刻の時間差情報と、を含み、
前記制御手段は、前記ハンドオーバ要求メッセージのターゲットセルの物理セル識別情報と、前記ターゲットセルとソースセルとの間の基準時刻の時間差情報とを用いて前記セル情報テーブルを検索することで、前記ターゲットセルの候補を更に絞り込む、
ことを特徴とする付記２６に記載の中継装置。
（付記２８）
前記セル情報テーブルは、さらに、前記第２基地局のセルおよび前記第１基地局のセルを除いた他のセルが使用する物理セル識別情報と、前記他のセルと前記第２基地局のセルとの間の基準時刻の時間差情報と、を含み、
前記制御手段は、前記ハンドオーバ要求メッセージのターゲットセルの物理セル識別情報と、前記ターゲットセルとソースセルとの間の基準時刻の時間差情報とを用いて前記セル情報テーブルを検索することで、前記ターゲットセルの候補を更に絞り込む、
ことを特徴とする付記２６または２７に記載の中継装置。
（付記２９）
前記制御手段はセル間の基準時刻の時間差情報を同一と判定するための幅を設定することを特徴とする付記１９、２０、２７および２８のいずれか１項に記載の中継装置。
（付記３０）
前記制御手段が、前記セル情報を用いて、前記ハンドオーバのターゲットセルまでの経路を特定することを特徴とする付記１６−２９のいずれか１項に記載の中継装置。
（付記３１）
通信ネットワークに基地局制御装置および第１中継装置が接続され、前記基地局制御装置の配下に少なくとも１つの第１基地局が接続され、前記第１中継装置の配下に少なくとも第２中継装置が接続され、前記第２中継装置の配下に少なくとも１つの第２基地局が接続された無線通信システムにおける前記第１中継装置におけるターゲットセル選択方法であって、
格納手段が、前記第２中継装置の配下の第２基地局が制御するセルのセル情報を格納し、
制御手段が、無線局が無線接続中の前記第１基地局から前記第２基地局へハンドオーバするハンドインフェーズにおいて、前記セル情報を用いて前記ハンドオーバのターゲットセルを選択する、
ことを特徴とするターゲットセル選択方法。
（付記３２）
前記セル情報は、前記配下の第２基地局のセルを識別する論理セル識別情報と物理セル識別情報と、を含むことを特徴とする付記３１に記載のターゲットセル選択方法。
（付記３３）
前記制御手段は、前記基地局制御装置から受信したハンドオーバ要求メッセージに含まれる前記ターゲットセルの物理セル識別情報と前記セル情報とを用いて、前記ターゲットセルを特定することを特徴とする付記３２に記載のターゲットセル選択方法。
（付記３４）
前記セル情報は、さらに、前記第２基地局が制御するセルの隣接セルが使用する物理セル識別情報と、前記セルと前記隣接セルとの間の基準時刻の時間差情報と、を含むことを特徴とする付記３２または３３に記載のターゲットセル選択方法。
（付記３５）
前記制御手段は、前記基地局制御装置から受信したハンドオーバ要求メッセージに含まれる前記ターゲットセルの物理セル識別情報と、当該ターゲットセルとソースセルとの間の基準時刻の時間差情報と、前記セル情報とを用いて、前記ターゲットセルを特定することを特徴とする付記３４に記載のターゲットセル選択方法。
（付記３６）
前記制御手段は、前記セル情報を外部から受信することを特徴とする付記３１−３５のいずれか１項に記載のターゲットセル選択方法。
（付記３７）
前記下位中継装置から、その配下の第２基地局に関する情報を送信する基地局登録メッセージあるいは基地局更新メッセージを用いて前記セル情報を受信することを特徴とする付記３６に記載のターゲットセル選択方法。
（付記３８）
前記下位中継装置から、前記第２基地局から前記第１基地局へハンドオーバするハンドアウトフェーズのハンドオーバ要求メッセージを用いて、前記セル情報を受信することを特徴とする付記３６４に記載のターゲットセル選択方法。
（付記３９）
前記ハンドアウトフェーズのハンドオーバ要求メッセージは、前記無線局の履歴情報に関する情報要素に当該ハンドオーバのソースセルの物理セル識別情報が設定されており、前記制御手段は、前記基地局制御装置へ送信するハンドオーバ要求メッセージの前記無線局の履歴情報に関する情報要素に通常の滞在時間情報を設定する、ことを特徴とする付記３８に記載のターゲットセル選択方法。
（付記４０）
前記格納手段は、当該中継装置の直下の基地局のセルおよび前記第２基地局のセルに関する論理セル識別情報と、前記直下の基地局、前記第２基地局および前記第２中継装置のアドレス情報とを対応づけた基地局登録テーブルを保持し、
前記制御手段は、前記基地局制御装置から受信したハンドオーバ要求メッセージのターゲットセルの論理セル識別情報を用いて前記基地局登録テーブルを検索し、前記ターゲットセルおよび前記ハンドオーバ要求メッセージの送信先アドレスを特定する、
ことを特徴とする付記３１−３９のいずれか１項に記載のターゲットセル選択方法。
（付記４１）
前記格納手段は、前記第１基地局のセルの論理セル識別情報と、前記少なくとも１つの第２基地局を含む少なくとも１つの仮想セルの論理セル識別情報と、前記第１基地局のセルと隣接する第２基地局のセルの論理セル識別情報と、を対応づけたセル情報テーブルを保持し、
前記制御手段は、前記基地局制御装置から受信したハンドオーバ要求メッセージのターゲットセルの論理セル識別情報を用いて前記セル情報テーブルを検索し、前記ターゲットセルの候補を絞り込む、
ことを特徴とする付記３１−４０のいずれか１項に記載のターゲットセル選択方法。
（付記４２）
前記セル情報テーブルは、さらに、前記第２基地局のセルの隣接セルが使用する物理セル識別情報と、前記第１基地局のセルと隣接する第２基地局のセルが使用する物理セル識別情報と、前記第２基地局のセルとその隣接セルとの間の基準時刻の時間差情報と、を含み、
前記制御手段は、前記ハンドオーバ要求メッセージのターゲットセルの物理セル識別情報と、前記ターゲットセルとソースセルとの間の基準時刻の時間差情報とを用いて前記セル情報テーブルを検索することで、前記ターゲットセルの候補を更に絞り込む、
ことを特徴とする付記４１に記載のターゲットセル選択方法。
（付記４３）
前記セル情報テーブルは、さらに、前記第２基地局のセルおよび前記第１基地局のセルを除いた他のセルが使用する物理セル識別情報と、前記他のセルと前記第２基地局のセルとの間の基準時刻の時間差情報と、を含み、
前記制御手段は、前記ハンドオーバ要求メッセージのターゲットセルの物理セル識別情報と、前記ターゲットセルとソースセルとの間の基準時刻の時間差情報とを用いて前記セル情報テーブルを検索することで、前記ターゲットセルの候補を更に絞り込む、
ことを特徴とする付記４１または４２に記載のターゲットセル選択方法。
（付記４４）
前記制御手段はセル間の基準時刻の時間差情報を同一と判定するための幅を設定することを特徴とする付記３４、３５、４２および４３のいずれか１項に記載のターゲットセル選択方法。
（付記４５）
前記制御手段が、前記セル情報を用いて、前記ハンドオーバのターゲットセルまでの経路を特定することを特徴とする付記３１−４４のいずれか１項に記載の中継装置。
（付記４６）
通信ネットワークに基地局制御装置および第１中継装置が接続され、前記基地局制御装置の配下に少なくとも１つの第１基地局が接続され、前記第１中継装置の配下に少なくとも第２中継装置が接続され、前記第２中継装置の配下に少なくとも１つの第２基地局が接続された無線通信システムであって、
前記第１中継装置が、前記第２中継装置の配下の第２基地局が制御するセルのセル情報を取得し、
無線局が無線接続中の前記第１基地局から前記第２基地局へハンドオーバするハンドインフェーズにおいて、前記第１中継装置が、前記セル情報を用いて、前記ハンドオーバのターゲットセルを特定する、
ことを特徴とする無線通信システム。
【産業上の利用可能性】
【０１６５】
本発明はセル構成を有する移動通信システムにおけるハンドオーバ制御に適用可能である。
【符号の説明】
【０１６６】
１  第１中継装置（ＧＷ）
２  第２中継装置（ＧＷ）
３  仮想セル
４−６  基地局（ＨＮＢ）
７−９  セル（フェムトセル）
１０  基地局（ＨＮＢ）
１１  セル（フェムトセル）
１２  基地局（ＮｏｄｅＢ）
１３  セル（マクロセル）
１４  基地局制御装置（ＲＮＣ）
１５  コアネットワーク
１０１  通信部
１０２  下位装置通信部
１０３  プロトコルメッセージ構築部
１０４  データベース
１０５  制御部
２０１  上位装置通信部
２０２  基地局通信部
２０３  プロトコルメッセージ構築部
２０４  配下基地局情報格納部
２０５  制御部
【図１】
2019126089.tif 000003
【図２】
2019126089.tif 000004
【図３】
2019126089.tif 000005
【図４】
2019126089.tif 000006
【図５】
2019126089.tif 000007
【図６】
2019126089.tif 000008
【図７】
2019126089.tif 000009
【図８】
2019126089.tif 000010
【図９】
2019126089.tif 000011
【図１０】
2019126089.tif 000012
【図１１】
2019126089.tif 000013
【図１２】
2019126089.tif 000014
【図１３】
2019126089.tif 000015
【図１４】
2019126089.tif 000016
【図１５】
2019126089.tif 000017
【図１６】
2019126089.tif 000018
【図１７】
2019126089.tif 000019
【図１８】
2019126089.tif 000020
【図１９】
2019126089.tif 000021
【図２０】
2019126089.tif 000022